(57)【要約】【課題】主に着用者の手の甲を覆って斬新な装飾性を発揮する一方、着用者に対して快適な着用性を付与し、かつ、本来の装飾性を一層際立たせる手甲用装飾品の提供。【解決手段】手甲装飾部３０は、着用者の中指３Ｆの根元から手首Ｗまでの距離に相当する高さを有する略二等辺三角形状をなすと共に略全方向に伸縮性及び可撓性を有する伸縮性シート素材３１からなる。その頂点部には、リング部１０へ着脱自在なリング側取付部３２を一体的に設けると共に、底辺にはリスト部２０へ着脱自在なリスト側取付部３３，３４をそれぞれ一体的に設ける。手甲装飾部３０全体の高さは、手甲装飾部３０をリング部１０とリスト部２０との間に装着したときに、手甲装飾部３０が頂点部及び底辺両端部により三点支持され、着用者が手を完全に開いたときでも収縮性シート素材３１がそれらの三点間で弾性的に展張した状態となるよう、当該高さを設定している。【選択図】図１
2008307232.tif 000002
【特許請求の範囲】
【請求項１】
着用者の中指の根元に着脱自在に装着されるリング部と、
着用者の手首に着脱自在に装着されるリスト部と、
前記リング部及び前記リスト部と別体で形成され、着用者の中指の根元から手首までの距離に相当する高さを有する略二等辺三角形状をなすと共に略全方向に伸縮性及び可撓性を有する伸縮性シート素材からなり、頂点部に前記リング部へ着脱自在なリング側取付部を一体的に設けると共に、少なくとも底辺の両端部に前記リスト部へ着脱自在なリスト側取付部をそれぞれ一体的に設けた手甲装飾部とを備え、
前記手甲装飾部のリング側取付部を前記リング部に取付けると共に、リスト側取付部を前記リスト部の両端部付近に取付けることにより、当該手甲装飾部を頂点部及び底辺両端部により三点支持して、着用者が手を完全に開いたときでも前記収縮性シート素材がそれらの三点間で弾性的に展張した状態となるよう当該手甲装飾部全体の高さを設定したことを特徴とする手甲用装飾品。
【請求項２】
着用者の中指の根元に着脱自在に装着され、手甲側に頂点用掛止部を一体的に設けたリング部と、
着用者の手首に着脱自在に装着され、手首の幅方向両端に対応する位置に一対のコーナー用掛止部を一体的に設けると共に、当該一対のコーナー用掛止部の間において一定間隔を置いた２ヶ所に中間用掛止部を設けたリスト部と、
着用者の中指の根元から手首までの距離に相当する高さと、前記手首の幅に相当する長さの底辺とを有する略二等辺三角形状をなすと共に略全方向に伸縮性及び可撓性を有する伸縮性シート素材からなり、頂点の一箇所に前記リング部の頂点用掛止部に掛止して着脱自在に取付けられるリング側取付部を一体的に設けると共に、前記底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に設けてなる手甲装飾部とを備え、
前記手甲装飾部のリング側取付部を前記リング部の頂点用掛止部に取付けると共に、リスト側取付部を前記リスト部のコーナー用掛止部及び中間用掛止部にそれぞれ取付けることにより、当該手甲装飾部を頂点部及び底辺両端部により三点支持すると共に底辺の中央の二点でも支持して、着用者が手を完全に開いたときでも前記手甲装飾部が頂点と底辺の四点との間で弾性的に展張した状態となるよう当該手甲装飾部全体の高さ及び底辺の長さを設定したことを特徴とする手甲用装飾品。
【請求項３】
前記手甲装飾部は、前記伸縮性シート素材の高さを着用者が手を完全に開いたときの中指の根元から手首までの距離より若干小さい高さに設定すると共に、着用者が手を握ったときの手首から中指の根元までの距離の増加に応じて前記伸縮性シート素材が弾性的に追従変形して展張状態を維持するようその伸縮性を設定したことを特徴とする請求項１または２記載の手甲用装飾品。
【請求項４】
着用者の中指の根元に着脱自在に装着され、手甲側にフック状の頂点用掛止部を一体形成したリング部と、
着用者の手首に着脱自在に装着され、少なくとも手の甲側の端縁において手首の幅方向両端に対応する位置にフック状のコーナー用掛止部を一体形成すると共に、当該一対のコーナー用掛止部の間において一定間隔を置いた２ヶ所に中間用掛止部を一体形成したリスト部と、
着用者の中指の根元から手首までの距離に相当する高さと、前記手首の幅に相当する長さの底辺とを有する略二等辺三角形状をなすと共に略全方向に伸縮性及び可撓性を有する伸縮性シート素材からなり、頂点の一箇所に前記リング部の頂点用掛止部に掛止して着脱自在に取付けられるリング側取付部を一体的に固定すると共に、前記底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に固定してなる手甲装飾部と、
前記手甲装飾部のリスト側取付部にそれぞれ着脱自在に取付けられて、前記リスト部のコーナー用掛止部及び中間用掛止部と前記手甲装飾部のリスト側取付部との間を連結する円形環状の連結リングとを備え、
前記手甲装飾部のリング側取付部を前記リング部の頂点用掛止部に掛止して取付けると共に、前記連結リングを前記手甲装飾部のリスト側取付部に取付けて、当該連結リングを前記リスト部のコーナー用掛止部及び中間用掛止部にそれぞれ取付けることにより、前記手甲装飾部を頂点部及び底辺両端部の連結リングにより三点支持すると共に底辺の中央の連結リングの二点でも支持して、着用者が手を完全に開いたときでも前記手甲装飾部が頂点と底辺の四点との間で弾性的に展張した状態となるよう、当該手甲装飾部全体の高さ及び底辺の長さを設定したことを特徴とする手甲用装飾品。
【請求項５】
更に、
着用者の中指以外の指の根元に着脱自在に装着される副リング部と、
前記リング部及び前記リスト部と別体で形成され、着用者の中指以外の指の根元に頂点部を配置すると共に手首に底辺を配置した三角形状の伸縮性シート素材からなり、前記頂点部に前記副リング部へ着脱自在な副リング側取付部を一体的に設けると共に、少なくとも底辺の両端部に前記リスト部へ着脱自在なリスト側取付部を一体的に設けてなる副手甲装飾部を備えることを特徴とする請求項１乃至４のいずれか１項記載の手甲用装飾品。
【発明の詳細な説明】
【技術分野】
【０００１】
本発明は、主に着用者の手の甲を覆って装飾する手甲用装飾品に関する。
【背景技術】
【０００２】
従来、男性用または女性用の貴金属等の装飾品としては、着用者の指に嵌める指輪や、手首に嵌めるブレスレット等が一般的である。一方、本発明者は、個人の趣味や嗜好の多様化を考慮すると、着用者の手の周辺を装飾する装飾品として指輪やブレスレット以外の新しいタイプの手用の装飾品に対する潜在的ニーズが確実にあると考え、本発明を着想すると共に、鋭意研究の結果、本発明をなしえた。なお、指輪やブレスレット以外の手用の装飾品に関するアイデアとして、例えば、特許文献１に記載のものが提案されている。
【特許文献１】特開２００５−３４２４６７号公報
【０００３】
特許文献１には、手の甲部分を装飾するための身体装飾品が開示されている。この身体装飾品は、デコレーションピースに、指への装着手段としてのフィンガーピースと手首への装着手段としてのインレイピースを設け、デコレーションピースを手の甲上面に位置させるようにしている。詳細には、フィンガーピースは、線材を螺旋コイル状に形成した指挿入部と、この指挿入部の下部に連続する湾曲部と、この湾曲部端を鈍角に折曲してなる直線状の嵌入部とから形成される。各部は１本の線材を用いて一体に形成される。また、デコレーションピースは、フィンガーピースと同材質の線材を略同心円状の渦巻き形に形成してなる装飾部と、この装飾部の外周部に位置する線材に取り付けられる上部嵌装体及び下部嵌装体とから形成される。更に、インレイピースもフィンガーピースと同様の線材を用いて製作され、線材を略半円形に形成した装着部と、円弧形線材の端部に楕円ループを形成した長さの異なる３本の装飾体と、線材を緩やかに湾曲させた湾曲部と、この湾曲部端を折曲して直線部分とした嵌入部とから形成される。また、前記嵌装体と同様構成物の固定部を設け、装着部、装飾体、嵌入材の各端部をそろえ、この端部を固定部の内部に位置させて押圧固定する。
【０００４】
そして、使用時には、まずフィンガーピースの嵌入部をデコレーションピースの上部嵌装体内へ挿入し、次ぎにインレイピースの嵌入部をデコレーションピースの下部嵌装体内へ挿入する。この作業により３個の各ピースが接続される。これを手・指に取り付けるには、左手の小指の先からフィンガーピースを指の根本に向けて挿入し、インレイピースを手首の上からはめ込み、インレイピースの装着部の両端を外側から軽く押圧して手首にフィットさせる。すると、デコレーションピースは手の甲面に安定位置することとなり、手の装飾としての視覚的効果を発揮するとされている。なお、特許文献１の身体装飾品は、フィンガーピースサイズを適宜に選択することにより、右手に取り付けることができる。即ち、右手の人差し指にフィンガーピースを挿入して同様のスタイルとすることができるとされている。
【発明の開示】
【発明が解決しようとする課題】
【０００５】
しかし、特許文献１に記載の身体装飾品は、デコレーションピースに設けた上部嵌装体及び下部嵌装体にフィンガーピースの嵌入部及びインレイピースの嵌入部をそれぞれ貫入して3個のピースを接続し、その状態でフィンガーピースを指に取付けると共にインレイピースを手首に取付ける。したがって、その着用状態では、デコレーションピースが、上下の嵌入部の二点で嵌入により支持されるのみであり、かつ、デコレーションピースが手の甲の片側（小指側）に配置されることになる。その結果、その静止状態ではデコレーションピースは安定すると思われるが、着用者が手を上下左右等の任意の方向に動かしたり、手を開いたり握り締めたりする動作を行った場合に、デコレーションピースが手の甲の上で位置ずれしたり、最悪の場合、デコレーションピースの嵌入部が嵌装体から抜け落ちてデコレーションピースが脱落したりする可能性がある。即ち、特許文献１に記載の身体装飾品は、基本的に、装飾部や取付部を構成する各ピース自体の装飾性や、それらピース相互の接続構造についてのみ考察し、手の動きに伴う各部分の動作については全く考慮していない。
【０００６】
更に、上記のように、特許文献1の身体装飾品は、着用者の手の動作に伴う手や指の動きや皮膚の動きを全く考慮していないため、当然、手や指の動作がデコレーションピース等に与える影響についても全く考察していない。したがって、特許文献1の身体装飾品は、着用者が手を開いたり握り締めたりしたときの手の各部分の動作に伴い、特に主装飾部分であるデコレーションピースが変形したり、よじれたりして、その本来の装飾性を損なう可能性がある。
【０００７】
ここで、本発明者は、近年、文房具や家具、パソコンのキーボード等、人間が使用する道具の分野においては、物を人が自然な動きや状態で使えるように設計する人間工学が採用され、かかる人間工学的見地からそのデザイン（工業デザイン）が検討されていることに着目し、かかる人間工学または人体工学を装飾品に応用することができれば、斬新な装飾性と共に快適な着用性をも提供することができると考え、鋭意研究の結果、本発明に想到した。
【０００８】
即ち、本発明者は、着用者が日常生活において手を任意の方向に動かしたり、手を開いたり握り締めたりする動作が頻繁に行われることから、これら各種動作に伴う手の各部位の動作を研究し、手の各部位の動作が着用時の装飾品に与える影響を考察することで、着用者に対して快適な着用性を付与すると共に、本来の装飾性を一層際立たせることができる手甲用装飾品を発明した。具体的には、手根部（手と腕との間の接合部）、中手部（手の甲または掌に相当する部分）及び指（五指）からなる手の骨格や、手背部（手根部と中手部の手の甲側の面）と手掌部（手根部と中手部の掌側の面）とにおける皮膚構造の違い等を検討すると共に、着用者の各種動作に伴う手の骨格の動作や皮膚の動作を考察することで、着用者に対して快適な着用性を付与すると共に、本来の装飾性を一層際立たせることができる手甲用装飾品を発明した。
【０００９】
そこで、本発明は、主に着用者の手の甲を覆って斬新な装飾性を発揮する一方、着用者に対して快適な着用性を付与し、かつ、本来の装飾性を一層際立たせることができる手甲用装飾品の提供を課題とする。
【課題を解決するための手段】
【００１０】
請求項１に係る手甲用装飾品は、着用者の中指の根元に着脱自在に装着されるリング部と、着用者の手首に着脱自在に装着されるリスト部と、前記リング部及び前記リスト部と別体で形成される手甲装飾部とを備える。手甲装飾部は、着用者の中指の根元から手首までの距離に相当する高さを有する略二等辺三角形状をなすと共に略全方向に伸縮性及び可撓性を有する伸縮性シート素材からなる。また、手甲装飾部の頂点部には、前記リング部へ着脱自在なリング側取付部を一体的に設ける（例えば、固定する）と共に、少なくとも底辺の両端部に前記リスト部へ着脱自在なリスト側取付部をそれぞれ一体的に設ける（例えば、固定する）。更に、前記手甲装飾部全体の高さは、前記手甲装飾部のリング側取付部を前記リング部に取付けると共に、リスト側取付部を前記リスト部の両端部（手首の幅方向両端に対応する部位）付近に取付けることにより、当該手甲装飾部を頂点部及び底辺両端部により三点支持して、着用者が手を完全に開いたときでも前記収縮性シート素材がそれらの三点間で弾性的に展張した状態となるよう、当該高さを設定している。
【００１１】
請求項２に係る手甲用装飾品は、リング部、リスト部及び手甲装飾部を備える。リングｂは、着用者の中指の根元に着脱自在に装着され、手甲側に頂点用掛止部を一体的に設けている。リスト部は、着用者の手首に着脱自在に装着され、手首の幅方向両端に対応する位置に一対のコーナー用掛止部を一体的に設けると共に、当該一対のコーナー用掛止部の間において一定間隔を置いた２ヶ所に中間用掛止部を設けている。手甲装飾部は、着用者の中指の根元から手首までの距離に相当する高さと、前記手首の幅（手首両側間の距離）に相当する長さの底辺とを有する略二等辺三角形状をなすと共に略全方向に伸縮性及び可撓性を有する伸縮性シート素材からなる。手甲装飾部は、頂点の一箇所に前記リング部の頂点用掛止部に掛止して着脱自在に取付けられるリング側取付部を一体的に設ける（例えば、固定する）と共に、前記底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に設けている（例えば、固定している）。更に、手甲装飾部全体の高さ及び底辺の長さは、前記手甲装飾部のリング側取付部を前記リング部の頂点用掛止部に取付けると共に、リスト側取付部を前記リスト部のコーナー用掛止部及び中間用掛止部にそれぞれ取付けることにより、当該手甲装飾部を頂点部及び底辺両端部により三点支持すると共に底辺の中央の二点でも支持して、着用者が手を完全に開いたときでも前記手甲装飾部が頂点と底辺の四点との間で弾性的に展張した状態となるよう、当該高さ及び底辺の長さを設定している。
【００１２】
請求項３に係る手甲用装飾品では、請求項１または２の構成において、前記手甲装飾部は、前記伸縮性シート素材の高さを着用者が手を完全に開いたときの中指の根元から手首までの距離より若干小さい高さに設定すると共に、着用者が手を握ったときの手首から中指の根元までの距離の増加に応じて前記伸縮性シート素材が弾性的に追従変形して展張状態を維持するようその伸縮性を設定している。
【００１３】
請求項４に係る手甲用装飾品は、リング部、リスト部、手甲装飾部及び連結リングを備える。リング部は、着用者の中指の根元に着脱自在に装着され、手甲側にフック状の頂点用掛止部を一体形成している。リスト部は、着用者の手首に着脱自在に装着され、少なくとも手の甲側の端縁において手首の幅方向両端に対応する位置にフック状のコーナー用掛止部を一体形成すると共に、当該一対のコーナー用掛止部の間において一定間隔を置いた２ヶ所に中間用掛止部を一体形成している。手甲装飾部は、着用者の中指の根元から手首までの距離に相当する高さと、前記手首の幅（手首両側間の距離）に相当する長さの底辺とを有する略二等辺三角形状をなすと共に略全方向に伸縮性及び可撓性を有する伸縮性シート素材からなる。手甲装飾部は、頂点の一箇所に前記リング部の頂点用掛止部に掛止して着脱自在に取付けられる（例えば、小径環状のまたはシート素材の網目により形成される）リング側取付部を一体的に固定している。更に、手甲装飾部は、前記底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられる（例えば、小径環状の）リスト側取付部を一体的に固定している。連結リングは、前記手甲装飾部のリスト側取付部にそれぞれ着脱自在に取付けられて、前記リスト部のコーナー用掛止部及び中間用掛止部と前記手甲装飾部のリスト側取付部との間を連結する（例えば大径の）円形環状をなす。更に、手甲装飾部全体の高さ及び底辺の長さは、前記手甲装飾部のリング側取付部を前記リング部の頂点用掛止部に掛止して取付けると共に、前記連結リングを前記手甲装飾部のリスト側取付部に取付けて、当該連結リングを前記リスト部のコーナー用掛止部及び中間用掛止部にそれぞれ取付けることにより、前記手甲装飾部を頂点部及び底辺両端部の連結リングにより三点支持すると共に底辺の中央の連結リングの二点でも支持して、着用者が手を完全に開いたときでも前記手甲装飾部が頂点と底辺の四点との間で弾性的に展張した状態となるよう、当該高さ及び底辺の長さを設定している。
【００１４】
請求項５に係る手甲用装飾品は、請求項１乃至４のいずれかの構成において、更に、着用者の中指以外の指の根元に着脱自在に装着される副リング部と、前記リング部及び前記リスト部と別体で形成される副手甲装飾部とを備える。副手甲装飾部は、着用者の中指以外の指の根元に頂点部を配置すると共に手首に底辺（頂点の対辺）を配置した三角形状（例えば、人差指や小指の場合は直角三角形）の伸縮性シート素材からなり、前記頂点部に前記副リング部へ着脱自在な副リング側取付部を一体的に設ける（例えば、固定する）と共に、少なくとも底辺の両端部に前記リスト部へ着脱自在なリスト側取付部を一体的に設けている（例えば、固定している）。
【発明の効果】
【００１５】
請求項１に係る手甲用装飾品は、着用状態では、着用者が手を完全に開いたときでも、手甲装飾部の伸縮性シート素材が頂点部と底辺両端部との三点間で弾性的に均等に展張した状態となり、伸縮性シート素材に弛みや皺が生じたり、全体の本来の二等辺三角形状が歪んだりすることがない。一方、着用者が手を一部握ったり、完全に握り締めたりしたときは、主に中指の関節の屈曲に伴う形状及び寸法変化（伸張）に追従して、伸縮性シート素材の頂点部が高さ方向に移動し、全体が伸張する。また、このとき、伸縮性シート素材の底辺の両端部は、この動作に伴っても位置が変わらない撓骨先端部と尺骨先端部の近傍に位置する。したがって、伸縮性シート素材は手の開閉動作にしたがって円滑に均等に伸張する。また、頂点部の移動量に応じて伸縮性シート素材の高さが増大するが、全体としては、伸縮性シート素材は本来の二等辺三角形を維持する。よって、手の開閉動作時にも、二等辺三角形状の伸縮性シート素材が底辺両端から頂点にかけて全体的に均等に伸縮し、伸縮性シート素材に弛みや皺が生じることがなく、伸縮性シート素材を完全な展張状態として着用者の手甲を覆うことができる。その結果、請求項1に係る手甲用装飾品は、装飾品としての意匠性を損なうことがなく、装飾部分としての手甲装飾部（特に、伸縮性シート素材）が本来意図する高い装飾性を十分に発揮することができる。加えて、着用状態で着用者が手を開いたり握ったりしても、手甲装飾部の伸縮性シート素材が手の甲の形状変化及び任意の方向への寸法変化に対して完全に形状追従及び寸法追従する。その結果、着用者にとって装着による違和感がない。更に、リング部、リスト部及び手甲装飾部のいずれか１以上を交換することにより、さまざまなデザインの装飾品として嗜好性及び意匠性を向上することができる。この場合も、手甲装飾部の着脱交換が非常に容易となる。
【００１６】
請求項２に係る手甲用装飾品は、請求項１の効果に加え、頂点の1箇所と、底辺の合計４箇所で支持するため、三点支持に加え、頂点と中央の二点との間でも、二等辺三角形状の展張状態を形成することができ、全体をより満遍なく均等に展張状態とすることができる。
【００１７】
請求項３に係る手甲用装飾品は、請求項１または２の効果に加え、（前記リング部と前記リスト部との間に装着した状態で着用者が手を完全に開いたときでも前記伸縮性シート素材が弾性的に若干の展張状態となる。即ち、伸縮性シート素材は常に展張状態となり、着用者の手の状態にかかわらず、装飾性を良好に維持することができる。
【００１８】
請求項４に係る手甲用装飾品は、請求項２の効果に加え、連結リングにより、独特の意匠的効果を発揮することができると共に、リング部、リスト部及び手甲装飾部を交換することで、更に、連結リングを交換することで一層多種多彩な装飾の変化を楽しむことができる。また、連結リングは円環状であるため、手首の幅方向両端では手首の撓骨の先端部及び尺骨の先端部に沿って傾斜して自然に手首の側面形状に沿う形となり、また、手首の中央部では手首の上面（甲側の面）形状に自然に沿う形となる。
【００１９】
請求項５に係る手甲用装飾品は、請求項１乃至４のいずれかの効果に加え、副リング部及び副手甲装飾部による追加的な独特の意匠的効果を発揮する。
【発明を実施するための最良の形態】
【００２０】
以下、本発明を実施するための最良の形態（以下、実施の形態という）を説明する。なお、各実施の形態を通じ、同一の部材、要素または部分には同一の符号を付して、その説明を省略する。
【００２１】
実施の形態１
図１は本発明の実施の形態１に係る手甲用装飾品の着用状態（手を開いた状態）を示す平面図である。図２は本発明の実施の形態１に係る手甲用装飾品を示す分解斜視図である。
図１及び図２に示すように、実施の形態１に係る手甲用装飾品は、リング部１０、リスト部２０及び手甲装飾部３０を備える。リング部１０は、着用者の手Ｈの五指（親指１Ｆ、人差指２Ｆ、中指３Ｆ、薬指４Ｆ、小指５Ｆ）のうち中指２Ｆの根元（基節骨の根元、即ち、中手指節関節付近）に着脱自在に装着される。また、リング部１０は、円環状の基部１１と、基部１１の手の甲Ｂ側の端縁の所定位置（基部１１を中指Ｆ３に嵌めたときに甲側に位置する部分の略中央）に一体形成されたフック状乃至鉤状の頂点用掛止部１２とを有する。頂点用掛止部１２は、基部１１を中指Ｆ３に嵌めたとき、基部１１の端縁から手の甲Ｂに向かって突出し指側へ湾曲復帰する略Ｕ字状をなす。リング部１０は、例えば、貴金属を含む金属製、樹脂製、皮革製等とすることができる。次に、リスト部２０は、着用者の手首（撓骨及び尺骨の各先端部付近または手根骨側の端部付近）に着脱自在に装着される円環状をなす。リスト部２０は、手首Ｗの外周形状に対応する略楕円リング状をなす基部２１を有している。基部２１は、基部２１の手の甲Ｂ側の端縁には、一対のフック状乃至鉤状のコーナー用掛止部２２及び一対のフック状乃至鉤状の中間用掛止部２３が一体形成されている。コーナー用掛止部２２は、それぞれ、基部２１において手首Ｗの幅方向両端（撓骨及び尺骨に対応する位置）に対応する位置に形成され、中間用掛止部２３は、それぞれ、コーナー用掛止部２２間において一定間隔を置いた２箇所（手首Ｗの甲側の面の撓骨及び尺骨間の２箇所）に形成されている。また、コーナー用掛止部２２及び中間用掛止部２３は、それぞれ、基部２１を手首Ｗに嵌めたとき、基部２１の端縁から手の甲Ｂに向かって突出し手首Ｗ側へ湾曲復帰する略Ｕ字状をなす。リスト部２０は、例えば、貴金属を含む金属製、樹脂製、皮革製等とすることができるが、手首Ｗに着脱できるよう、一部を開閉自在な機構としたり、手首Ｗへ装着できる程度の伸縮性を有する素材から全体を形成したりする。
【００２２】
手甲装飾部３０は、着用者の中指３Ｆの根元から手首Ｗまでの距離に相当する高さと、手首Ｗの幅（手首Ｗ両側間の距離）に相当する長さの底辺とを有する略二等辺三角形状をなすと共に略全方向に伸縮性及び可撓性を有する伸縮性シート素材３１からなる。伸縮性シート素材３１は、任意の方向乃至略全方向に伸縮性及び可撓性を有する限りにおいて任意のシート素材とすることができるが、例えば、ポリアミド繊維とポリウレタン繊維またはウール繊維等との混合繊維からなるストッキング素材と同様の伸縮性シート素材を、上記二等辺三角形状に裁断・端部処理等して好適に製造することができる。また、伸縮性シート素材３１は、その全面に所定の模様（図示の例では星型模様）を均等にバランスよく配置して模様部３１ａを形成している。模様部３１ａの模様は、伸縮性シート素材３１の全面にわたって所定の整列態様で配置されている。例えば、模様部３１ａの模様は、伸縮性シート素材３１の左右方向（底辺と平行な方向）に一定間隔で密に並列した状態で、その各列が上下方向（高さ方向）に一定間隔をおいて密に配置されている。そして、模様部３１ａの模様の配置態様は、伸縮性シート素材３１の二等辺三角形状に対応して設定され、伸縮性シート素材３１を上下左右（面方向）に引っ張って伸張拡大したときに、模様部３１ａの模様が均等に間隔を広げて、全体としての模様のバランスを維持するようになっている。
【００２３】
手甲装飾部３０は、伸縮性シート素材３１の頂点の一箇所に小径（直径２〜５ｍｍ程度）の円環状のリング側取付部３２を一体的に固定している。リング側取付部３２は、リング部１０の頂点用掛止部１２に引っ掛けて掛止して着脱自在に取付けられる。また、手甲装飾部３０は、伸縮性シート素材３１の底辺の両端の２箇所と同両端間において一定間隔を置いた２箇所との合計４箇所に、それぞれ、小径（直径２〜５ｍｍ程度）の円環状のリスト側取付部３３，３４を一体的に固定していている。詳細には、伸縮性シート素材３１の底辺には、その両端の２箇所にリスト側取付部としての一対のコーナー用係合部３３が一体的に固着され、両コーナー用係合部３３間の２箇所に一定間隔を置いて一対の中間用係合部３４が一体的に固着されている。コーナー用係合部３３には、それぞれ、当該コーナー用係合部３３より大径（直径８ｍｍ〜１５ｍｍｍ程度）の円形環状をなす連結リング４０が着脱自在に取付けられる。同様に、中間用係合部３４にも、それぞれ、連結リング４０が着脱自在に取付けられる。連結リング４０は、図２に示すように、円環を２回周回してその両端を軸方向の反対側端で開放して開放端４１とする二重リング状をなす。連結リング４０は、コーナー用係合部３３または中間用係合部３４を一方の開放端４１から二重リング間に押し込んで他方の開放端４１を越えて周方向に移動することにより、コーナー用係合部３３または中間用係合部３４に取付けるようになっている。なお、上記とは逆に、コーナー用係合部３３または中間用係合部３４を連結リング４０の他方の開放端４１から二重リング間に押し込んで一方の開放端４１を越えて周方向に移動することにより、連結リング４０をコーナー用係合部３３または中間用係合部３４から取り外すことができる。
【００２４】
コーナー用係合部３３及び中間用係合部３４にそれぞれ取付けた４個の連結リング４０は、それぞれ、リスト部２０のコーナー用掛止部２２及び中間掛止部２４に引っ掛けて掛止される。即ち、手甲装飾部３０のコーナー用係合部３３に取付けた一対の連結リング４０は、リスト部２０のコーナー用掛止部２２にそれぞれ引っ掛けて掛止され、中間用係合部３４に取付けた一対の連結リング４０は、リスト部２０の中間用掛止部２３にそれぞれ引っ掛けて掛止される。このように、連結リング４０は、手甲装飾部３０のリスト側取付部としてのコーナー用係合部３３及び中間用係合部３４にそれぞれ着脱自在に取付けられて、リスト部２０のコーナー用掛止部２２及び中間用掛止部２３と手甲装飾部３０のコーナー用係合部３３及び中間用係合部３４との間を連結する。
【００２５】
実施の形態１に係る手甲用装飾品は、手甲装飾部３０の頂点用係合部３２をリング部１０の頂点用掛止部１２に引っ掛けて掛止すると共に、連結リング４０を手甲装飾部３０のコーナー用係合部３３及び中間用係合部３４にそれぞれ取付けて、当該連結リング４０をリスト部２０のコーナー用掛止部２２及び中間用掛止部２３にそれぞれ引っ掛けて掛止することにより、伸縮性シート素材１３１がリング部１０とリスト部２０との間で弾性的に展張状態となり、手甲装飾部３０が頂点部及び底辺両端部の連結リング４０により三点支持されると共に、底辺の中央の連結リング４０の二点でも支持される。このとき、着用者が手を完全に開いたときでも、手甲装飾部３０が頂点の一点と底辺の四点（両端の２点及び中間の二点の合計四点）との間で弾性的に展張した状態となるよう当該手甲装飾部３０全体の高さ及び底辺の長さを設定している。手甲装飾部３０全体の高さは、通常、全ての部品の取付状態乃至組立状態における、伸縮性シート素材３１の高さと、頂点用係合部３２の高さと、コーナー用係合部３３及び中間用係合部３４の高さと、連結リング４０の高さとの総合計高さとなり、伸縮性シート素材３１の高さと、頂点用係合部３２の直径（内径） と、コーナー用係合部３３及び中間用係合部３４の直径（内径）と、連結リング４０の直径（内径）とを合計した高さに相当する。また、手甲装飾部３０全体の底辺の長さは、通常、伸縮性シート素材３１の底辺の長さに相当する。逆に言えば、伸縮性シート素材３１の高さは、リング部１０及びリスト部２０の対向端縁間の距離に対して、頂点用係合部３２の直径とコーナー用係合部３３または中間用係合部３４の直径と連結リング４０の直径との分だけ小さくなり、手甲装飾部３０の装着時における伸縮性シート素材３１の底辺の位置は、手首Ｗより若干上側（甲Ｂ側）の位置（甲Ｂと手首Ｗとの間のくぼみ部分の上端付近）となる。そして、手甲装飾部３０の装着時に、伸縮性シート素材３１の伸縮性（弾性）により、伸縮性シート素材３１の底辺両端の連結リング４０が、その直径方向を伸縮性シート素材３０の斜辺と略同一方向に延ばした状態でコーナー用係合部３３とコーナー用係合部２３とを連結するよう、伸縮性シート素材３１の底辺の長さを手首Ｗの幅と同一か若干小さい長さに設定する。
【００２６】
実施の形態２
図３は本発明の実施の形態２に係る手甲用装飾品の着用状態（手を開いた状態）を示す平面図である。
図３に示すように、実施の形態２に係る手甲用装飾品は、実施の形態１の手甲用装飾品と同様のリング部１０及びリスト部２０を備えている。一方、実施の形態２に係る手甲用装飾品は、まず、手甲装飾部１３０の構成が実施の形態１の手甲装飾部３０と異なっている。詳細には、手甲装飾部１３０は、着用者の中指３Ｆの根元から手首Ｗまでの距離に相当する高さと、手首Ｗの幅に相当する長さの底辺とを有する略二等辺三角形状をなすと共に略全方向に伸縮性及び可撓性を有する伸縮性シート素材１３１からなる。伸縮性シート素材１３１は、任意の方向乃至略全方向に伸縮性及び可撓性を有する限りにおいて実施の形態１の伸縮性シート素材３１と同様、任意のシート素材とすることができる。なお、伸縮性シート素材１３１は、実施の形態１の伸縮性シート素材３１とは異なり、無模様（所定色彩の単色）の無地状とされている。また、手甲装飾部１３０は、更に、手甲装飾部１３０は、伸縮性シート素材１３１の頂点の一箇所の網目状の隙間（１〜３ｍｍ程度の小開口）を、伸縮性シート素材１３１に一体的に設けたリング側取付部（頂点用係合部）１３１ａとして使用している。リング側取付部１３１ａは、リング部１０の頂点用掛止部１２に引っ掛けて掛止して着脱自在に取付けられる。一方、伸縮性シート素材１３１の底辺の両端の２箇所と同両端間において一定間隔を置いた２箇所との合計４箇所には、それぞれ、前記リスト側取付部としてのコーナー用係合部３３及び中間用係合部３４が一体的に固定されている。なお、コーナー用係合部３３及び中間用係合部３４には連結リング４０は取付けられず、コーナー用係合部３３をリスト部２０のコーナー用掛止部２２に、中間用係合部３４をリスト部２０の中間用掛止部２３にそれぞれ引っ掛けて掛止するようになっている。
【００２７】
実施の形態２に係る手甲用装飾品は、実施の形態１に係る手甲用装飾品と同様、手甲装飾部１３０のリング側取付部１３１ａをリング部１０の頂点用掛止部１２に引っ掛けて掛止すると共に、手甲装飾部３０のコーナー用係合部３３及び中間用係合部３４をリスト部２０のコーナー用掛止部２２及び中間用掛止部２３にそれぞれ引っ掛けて掛止することにより、伸縮性シート素材１３１がリング部１０とリスト部２０との間で弾性的に展張状態となり、手甲装飾部３０が頂点部及び底辺両端部の連結リング４０により三点支持されると共に、底辺の中央の連結リング４０の二点でも支持される。このとき、着用者が手を完全に開いたときでも、手甲装飾部１３０が頂点の一点と底辺の四点（両端の２点及び中間の二点の合計四点）との間で弾性的に展張した状態となるよう当該手甲装飾部１３０全体の高さ及び底辺の長さを設定している。手甲装飾部１３０全体の高さは、通常、全ての部品の取付状態乃至組立状態における、伸縮性シート素材１３１の高さと、リング側取付部１３１ａの高さと、コーナー用係合部３３及び中間用係合部３４の高さとの総合計高さとなり、伸縮性シート素材１３１の高さと、コーナー用係合部３３及び中間用係合部３４の直径（内径）とを合計した高さに相当する。また、手甲装飾部１３０全体の底辺の長さは、通常、伸縮性シート素材１３１の底辺の長さに相当する。逆に言えば、伸縮性シート素材１３１の高さは、リング部１０及びリスト部２０の対向端縁間の距離に対して、コーナー用係合部３３または中間用係合部３４の直径の分だけ小さくなり、手甲装飾部１３０の装着時における伸縮性シート素材１３１の底辺の位置は、手首Ｗの直上位置（甲Ｂと手首Ｗとの間のくぼみ部分の下端付近）となる。そして、手甲装飾部１３０の装着時に、伸縮性シート素材１３１の斜辺がリスト部２０の両端のコーナー用係合部２３から頂点まで直線的に延びるよう、伸縮性シート素材１３１の底辺の長さを手首Ｗの幅と同一か若干大きい長さに設定する。このように、伸縮性シート素材１３１は、実施の形態１の伸縮性シート素材３１より若干大きな寸法（高さ及び底辺長さ）となる。即ち、実施の形態２に係る手甲装飾部１３０は、実施の形態１に係る手甲装飾部３０のように連結リング４０を使用しないため、連結リング４０の直径分だけ伸縮性シート素材１３１の高さを大きく設定する。これに伴い、伸縮性シート素材１３１の底辺の長さも伸縮性シート素材３１の底辺の長さより若干大きく設定する。
【００２８】
実施の形態３
図４は本発明の実施の形態３に係る手甲用装飾品を示す分解斜視図である。
図４に示すように、実施の形態３に係る手甲用装飾品は、実施の形態１の手甲用装飾品と同様のリング部１０及びリスト部２０を備えている。また、実施の形態３に係る手甲用装飾品は、実施の形態２と同様、手甲装飾部１３０を使用している。一方、実施の形態３に係る手甲装飾部１３０は、伸縮性シート素材１３１の頂点部のリング側取付部として、網目状の隙間からなる頂点用係合部１３１ａではなく、実施の形態１の頂点用係合部３２を使用している。よって、実施の形態３では、伸縮性シート素材１３１の二等辺三角形状は、頂点用係合部３２の直径分だけ、実施の形態２の伸縮性シート素材１３１より高さが小さくなっている。
【００２９】
図5は本発明の実施の形態１に係る手甲用装飾品及び実施の形態２に係る手甲用装飾品の連結部分を拡大して示す斜視図であり、（ａ）は実施の形態１または実施の形態３のリング側連結部、（ｂ）は実施の形態２のリング側連結部、（ｃ）は実施の形態１のリスト側連結部、（ｄ）は実施の形態２または実施の形態３のリスト側連結部をそれぞれ示す。
上記実施の形態１または実施の形態３に係る手甲用装飾品の場合、手甲装飾部３０の伸縮性シート素材３１または伸縮性シート素材１３１の頂点用係合部３２は、図５（ａ）に示すようにして、リング部１０の頂点用掛止部１２に引っ掛けて係止される。また、実施の形態１に係る手甲用装飾品の場合、手甲装飾部３０の伸縮性シート素材３１のコーナー用係合部３３及び中間用係合部３４は、連結リング４０を介して、図５（ｃ）に示すようにして、リスト部２０のコーナー用掛止部２２及び中間用掛止部２３にそれぞれ引っ掛けて係止される。一方、上記実施の形態２に係る手甲用装飾品の場合、手甲装飾部１３０の伸縮性シート素材１３１のリング側取付部（頂点用係合部）１３１ａは、図５（ｂ）に示すようにして、リング部１０の頂点用掛止部１２に引っ掛けて係止される。また、上記実施の形態２または実施の形態３に係る手甲用装飾品の場合、手甲装飾部１３０の伸縮性シート素材１３１のコーナー用係合部３３及び中間用係合部３４は、直接、図５（ｄ）に示すようにして、リスト部２０のコーナー用掛止部２２及び中間用掛止部２３にそれぞれ引っ掛けて係止される。
【００３０】
装着方法
図６は本発明の手甲用装飾品の手甲装飾部をリング部及びリスト部に装着する方法を説明するための斜視図である。なお、説明の便宜上、図６は実施の形態２に係る手甲用装飾品を使用してその装着方法を説明するが、他の実施の形態に係る手甲用装飾品の場合も同様である。
図６に示すように、実施の形態２に係る手甲用装飾品は、まず、例えば手Ｈを開いた上体で、リング部１０を右手または左手（図示の例では左手）の中指Ｆ３の根元に嵌めて、頂点用掛止部１２を手の甲Ｂ側に配置する。また、リスト部２０を右手または左手（図示の例では左手）の手首Ｗに嵌めて、コーナー用掛止部２２及び中間用掛止部２３を手の甲Ｂ側に配置する。そして、手甲装飾部１３０の頂点用係合部１３１ａをリング部１０の頂点用掛止部１２に引っ掛けて掛止し、その後、伸縮性シート素材１３１を若干引っ張って、その底辺のコーナー用係合部３３及び中間用係合部３４をリスト部２０のコーナー用係合部２３及び中間用係合部２２４に順次引っ掛けて掛止する。これにより、手甲装飾部１３０をリング部１０とリスト部２０との間に簡単かつ迅速に装着することができる。
【００３１】
次に、上記のように構成した実施の形態１〜３を含む本発明に係る手甲用装飾品の作用及び効果について説明する。
図７は本発明に係る手甲用装飾品の手甲装飾部と着用者の指の開閉動作（外転及び内転）との関係を示す説明図である。図８は本発明に係る手甲用装飾品の手甲装飾部と着用者の手の開閉動作との関係を示す説明図である。
上記各実施の形態に係る手甲用装飾品によれば、上記構成の伸縮性シート素材３１，１３１からなる手甲装飾部３０，１３０をリング部１０とリスト部２０との間に取付けると、伸縮性シート素材３１，１３１は、その頂点部の頂点用係合部３２，１３１ａ及び底辺両端部のコーナー用係合部３３を介して、リング部１０の頂点用掛止部１２が位置する中指３Ｆの根元とリスト部２０の両端部のコーナー用掛止部２２が位置する手首Ｗ両端（撓骨及び尺骨の先端）付近との間で三点支持される。このとき、リング側取付部３２，１３１ａ、伸縮性シート素材３１，１３１及びリスト側取付部３３，３４からなる手甲装飾部３０，１３０の全体の高さ設定により、伸縮性シート素材３１，１３１は、着用者が手Ｈを完全に開いたときでも、前記支持点である三点間で弾性的に展張した状態となり、その本来の略二等辺三角形状を維持する。また、手の関節の構造上、着用者が手Ｈを完全に開いた状態（以下、「全開状態」という）から手Ｈを完全に握り締めた状態（以下、「全閉状態」という）との間で手を開閉したとき、着床者の手Ｈの移動部分は屈伸する全指１Ｆ〜５Ｆ及び指の屈伸に追随して伸縮する手の甲Ｂの皮膚となり、手首Ｗ（特に手首の両端付近）は全く移動部分とならない。一方、伸縮性シート素材３１，１３１は、中指３Ｆの根元及び手首Ｗの両端付近にのみ支持（三点支持）されているため、手の開閉動作に伴う伸縮性シート素材３１，１３１の移動点は、中指３Ｆの根元部分に対応する頂点部のみとなる。したがって、伸縮性シート素材３１，１３１は、その頂点部が手Ｈの開閉動作に伴う中指３Ｆの根元部分の屈曲動作に追従して移動する移動起点となり、頂点部が三点支持の他の二点でかつ静止状態（不変位置）にある底辺の両端部から均等に離間・接近するよう移動して、伸縮性素材３１，１３１全体がその高さ方向（底辺中心と頂点とを結ぶ方向）に均等に伸張変形する。その結果、手Ｈの開閉動作によっても、伸縮性シート素材３１，１３１は、その本来の略二等辺三角形状を全体として（若干縦長に）拡大した形状として維持し、一部に緩み、弛み、歪み等を生じて本来の略二等辺三角形状を歪曲することはない。
【００３２】
更に、上記各実施の形態では、伸縮性シート素材３１，１３１は、頂点（頂点用係合部３２，１３１ａ）及び底辺両端（コーナー用係合部３３）間での三点支持に加えて、底辺中央の二点（中間用係合部３４）でも支持される。よって、伸縮性シート素材３１，１３１は、頂点（頂点用係合部３２，１３１ａ）と底辺中央の一対の中間用係合部３４との）間でも三点支持されることになる。したがって、伸縮性シート素材３１，１３１は、頂点及び底辺両端により形成される外形としての二等辺三角形が、頂点用係合部３２，１３１ａ及びコーナー用係合部３３間の三点支持により均等な展張状態とされ、更に、頂点及び底辺中間部の二点により形成される（狭角の）二等辺三角形が、頂点用係合部３２，１３１ａ及び中間用係合部３４間の三点支持により均等な展張状態とされて、それらを組み合わせた均等な展張作用により、全体として一層良好な展張状態となる。なお、伸縮性シート素材３１，１３１の底辺も、コーナー用係合部３３及び中間用係合部３４の四点で安定支持されてその直線形状を維持する。また、伸縮性シート素材３１，１３１の斜辺は、頂点用係合部３２，１３１ａと各コーナー用係合部３３との間で伸張され、その直線形状を維持する。
【００３３】
また、このとき、手Ｈの開閉による指１Ｆ〜５Ｆの屈曲に伴い手の甲Ｂの皮膚も移動（伸縮）するため、伸縮性シート素材３１，１３１は、手の甲Ｂの皮膚との摩擦係合力により、手の甲Ｂの皮膚の移動に若干追随変形すると考えられるが、伸縮性シート素材３１，１３１は常に上記三点支持によって弾性的に展張状態にあるため、当該追随変形も、最終的に伸縮性シート素材３１，１３１の略二等辺三角形状の範囲内に吸収される。したがって、手の甲Ｂの収縮によっても、伸縮性シート素材３１，１３１は、一部に緩み、弛み、歪み等を生じることはなく、その本来の略二等辺三角形状を維持する。
【００３４】
更に、このとき、中指３Ｆは、五指１Ｆ〜５Ｆの中心にあり手の甲Ｂの先端中心にあるため、手Ｈを握る際には手の甲Ｂの左右中心線（手首Ｗの中心と中指３Ｆの根元とを結ぶ線）の延長線上で内側（掌側）へと屈曲し、手Ｈを開く際には手の甲Ｂの左右中心線の延長線上で外側（手の甲Ｂ側）へと伸張する。よって、伸縮性シート素材３１，１３１は、中指３Ｆの根元に位置する頂点部を移動起点として、その高さ方向が手の甲Ｂの左右中心線とほぼ一致した状態で伸張することになる。この点でも、伸縮性シート素材３１，１３１は、手Ｈの開閉動作に伴ってその本来の略二等辺三角形に弛みや歪み等を生じることなく、円滑に伸縮してその略二等辺三角形状を維持する。
【００３５】
これに対して、手の甲部分の装飾部を本発明の手甲装飾部３０，１３０のような構成としない場合、以下のような不具合がある。まず、装飾部を伸縮性シート素材ではない素材とする場合、例えば、金属シート、ワイヤ、チェーン、皮、非伸縮の織編物等の非伸縮性素材から形成する場合、装飾部は手の開閉動作に追従して伸縮しない。このとき、装飾部の寸法を手を開いたときの手の甲の寸法に合わせると、手を握ったときに非伸縮の装飾部が突っ張った感じとなり、手を握る動作が妨げられる。一方、装飾部の寸法を手を握ったときの手の甲の寸法に合わせると、手を開いたときに非伸縮の装飾部が弛んだり緩んだりして皺等を生じた状態となり、装飾性を損なう。
【００３６】
また、装飾部を伸縮性素材により形成した場合でも、その形状を円形、楕円形、矩形等の三角形状以外の任意の形状とした場合、装飾部の一部に必然的に弛みや緩み、或いは、手の甲からの浮き上がり等、装飾性を損なう事態が生じる。即ち、この場合、装飾部は、特定の指や手首の特定位置との間で支持され、着用者が手を開閉すると、その特定の指や手首の特定位置が起点となって装飾部に引張力を加えたり除いたりする。この手の開閉動作に伴い、装飾部は、これらの支持点を起点として伸縮するため、それらの起点を結んだ線により囲まれる部分は支持点からの張力の影響を受けて展張状態を維持する可能性があるが、当該部分より外側の部分は支持点からの張力の範囲外となって必然的に非展張状態となり、弛みや緩みや手の甲からの浮き上がりが必ず生じる。例えば、いずれかの一本の指と手首の一箇所との間で装飾部を支持する場合、装飾部は、当該一本の指と手首の一箇所との間を結ぶ一本の線上でのみ伸張し、それ以外のほとんどの部分（実質的に全ての部分）が弛んだ状態となる。また、いずれかの一本の指と手首の二箇所との間で装飾部を支持する場合でも、装飾部は、当該一本の指と手首の二箇所との間を結ぶ３本の線により囲まれる三角形部分で展張状態となると考えられるが、同三角形部分の外側の部分が弛んだ状態となる。
【００３７】
更に、装飾部を三角形状とする場合でも、頂点を中指根元に配置し底辺両端を手首両端に配置する二等辺三角形状以外の三角形状（不等辺三角形状）とする場合、例えば、中指以外の指の根元に頂点を配置する三角形状（不等辺三角形状）とする場合、その指の曲げ伸ばしの際に、頂点から底辺へと延びる垂線により区画される左右両側の面積が異なるため、装飾部の左右で展張状態が大きく異なる。即ち、図８に示すように、上記実施の形態に係る手甲装飾部３０，１３０の伸縮性シート素材３１，１３１の場合、頂点から底辺へと延びる垂線により区画される左右両側の面積が同一となり、かつ、中指３Ｆを曲げる際に伸縮性シート素材３１，１３１の頂点に加わる外力も図８中に矢印で示す方向となって伸縮性シート素材３１，１３１の高さ方向と同一となるため、伸縮性シート素材３１，１３１の左右で展張状態が同等となり、伸縮性シート素材３１，１３１の展張状態は全体として均等となる。一方、装飾部を、人差指２Ｆ、薬指４Ｆまたは小指５Ｆに頂点を配置した不等辺三角形状とする場合、頂点から底辺へと延びる垂線により区画される左右両側の面積が大きく異なり、かつ、その指２Ｆ，４Ｆ，５Ｆを曲げる際に装飾部の頂点に加わる外力が図８中に矢印で示す方向となるため、装飾部の左右で展張状態が大きく異なり、装飾部の展張状態が全体として不均等となり、緩みや弛みや皺等を生じる。
【００３８】
一方、図７に示すように、着用者が手の指１Ｆ〜５Ｆを完全に閉じた状態と完全に開いた状態との間で指１Ｆ〜５Ｆを開閉（外転及び内転）する場合、手Ｈの関節の構造上、中指３Ｆの基節乃至第３関節（医学用語は「中手指節関節」）は、図７中の黒塗丸印に示すように、指１Ｆ〜５Ｆの開閉に伴い移動することはなく停止したままであるが、中指３Ｆから離れた指１Ｆ，２Ｆ，４Ｆ，５Ｆほど、図７中の黒塗三角印から白抜三角印に示すように、指１Ｆ，２Ｆ，４Ｆ，５Ｆを開くにつれてその位置を外方に移動する。即ち、中指３Ｆ以外の指１Ｆ，２Ｆ，４Ｆ，５Ｆは、指１Ｆ，２Ｆ，４Ｆ，５Ｆの内転または外転に伴い、その基節の位置が内側（中指３Ｆに向かう方向）または外側（中指３Ｆから離間する方向）に移動する。したがって、本発明のように、手甲装飾部３０，１３０の伸縮性シート素材３１，１３１の頂点が中指３Ｆの根元に位置する場合、指１Ｆ〜５Ｆの開閉動作によっても手甲装飾部３０，１３０の伸縮性シート素材３１，１３１の頂点部は移動することがない。その結果、指１Ｆ〜５Ｆの開閉動作によっても、伸縮性シート素材３１，１３１は、その本来の略二等辺三角形状を完全に維持し、緩み、弛み、歪み等を生じて本来の略二等辺三角形状を歪曲することはない。
【００３９】
また、上記各実施の形態に係る手甲装飾部３０，１３０は、頂点部並びに底辺両端部及び底辺中央部を、頂点用係合部３２，１３１ａ並びにコーナー用係合部３３及び中間用係合部３４による掛止関係により、リング部１０の頂点用掛止部１２並びにリスト部２０のコーナー用掛止部２２及び中間用掛止部２３にそれぞれ取付ける。このとき、手甲装飾部３０，１３０の伸縮性シート素材３１，１３１が着用者の手の甲Ｂ側で常に弾性的に展張状態となっているため、伸縮性シート素材３１，１３１がリング部１０とリスト部２０との間で若干の引張力をもって装着されることになる。その結果、手甲装飾部３０ｍ１３０の装着時に、頂点用係合部３２，１３１ａ並びにコーナー用係合部３３及び中間用係合部３４とリング部１０の頂点用掛止部１２並びにリスト部２０のコーナー用掛止部２２及び中間用掛止部２３との間での掛止関係が外れて伸縮性シート素材３１，１３１が不意に脱落したりすることがない。また、この場合、伸縮性シート素材３１，１３１が全体として伸縮性を有するため、まず、例えばコーナー用係合部３３及び中間用係合部３４をリスト部２０のコーナー用掛止部２２及び中間用掛止部２３に引っ掛けた後、伸縮性シート素材３１，１３１をその弾性に抗して引張って、頂点用係合部３２，１３１ａをリング部１０の頂点用掛止部１２に引っ掛けて手を離すだけで、伸縮性シート素材３１，１３１をリング部１０とリスト部２０との間に簡単に装着することができ、かつ、装着した伸縮性シート素材３１，１３１をその弾性に抗して引張るだけで、頂点用係合部３２，１３１ａ並びにコーナー用係合部３３及び中間用係合部３４をリング部１０の頂点用掛止部１２並びにリスト部２０のコーナー用掛止部２２及び中間用掛止部２３から取外すことができるため、その装着及び取外しが非常に容易となる。
【００４０】
上記のように、上記各実施の形態に係る手甲用装飾品は、着用状態では、着用者が手Ｈを完全に開いたときでも、手甲装飾部３０，１３０の伸縮性シート素材３１，１３１が頂点部と底辺両端部との三点間で弾性的に均等に展張した状態となり、伸縮性シート素材３１，１３１に弛みや皺が生じたり、全体の本来の二等辺三角形状が歪んだりすることがない。一方、着用者が手Ｈを一部握ったり、完全に握り締めたりしたときは、主に中指３Ｆの関節の屈曲に伴う形状及び寸法変化（伸張）に追従して、伸縮性シート素材３１，１３１の頂点部が高さ方向に移動し、全体が伸張する。また、このとき、伸縮性シート素材３１，１３１の底辺の両端部は、この動作に伴っても位置が変わらない撓骨先端部と尺骨先端部の近傍に位置する。したがって、伸縮性シート素材３１，１３１は手Ｈの開閉動作にしたがって円滑に均等に伸張する。また、頂点部の移動量に応じて伸縮性シート素材３１，１３１の高さが増大するが、全体としては、伸縮性シート素材３１，１３１は本来の二等辺三角形を維持する。よって、手Ｈの開閉動作時にも、二等辺三角形状の伸縮性シート素材３１，１３１が底辺両端から頂点にかけて全体的に均等に伸縮し、伸縮性シート素材３１，１３１に弛みや皺が生じることがなく、伸縮性シート素材３１，１３１を完全な展張状態として着用者の手甲を覆うことができる。その結果、上記各実施の形態に係る手甲用装飾品は、装飾品としての意匠性を損なうことがなく、装飾部分としての手甲装飾部３０，１３０（特に、伸縮性シート素材３１，１３１）が本来意図する高い装飾性を十分に発揮することができる。加えて、着用状態で着用者が手Ｈを開いたり握ったりしても、手甲装飾部３０，１３０の伸縮性シート素材３１，１３１が手の甲Ｂの形状変化及び任意の方向への寸法変化に対して完全に形状追従及び寸法追従する。その結果、着用者にとって装着による違和感がない。更に、リング部１０、リスト部２０及び手甲装飾部３０，１３０のいずれか１以上を交換することにより、さまざまなデザインの装飾品として嗜好性及び意匠性を向上することができる。この場合も、手甲装飾部３０，１３０の着脱交換が非常に容易となる。
【００４１】
加えて、上記各実施の形態に係る手甲用装飾品は、手甲装飾部３０，１３０が、リング部１０とリスト部２０との間に装着した状態で着用者が手を完全に開いたときでも、伸縮性シート素材３１，１３１が弾性的に若干の展張状態となるよう、伸縮性シート素材３１，１３１の高さを着用者が手を完全に開いたときの中指３Ｆの根元から手首Ｗまでの距離より若干小さい高さ（連結リング４０を使用する場合はその直径分を更に除いた高さ）に設定すると共に、着用者が手を握ったときの手首Ｗから中指３Ｆの根元までの距離の増加に応じて伸縮性シート素材３１，１３１が弾性的に追従変形して展張状態を維持するようその伸縮性を設定している。したがって、上記各実施の形態に係る手甲用装飾品は、伸縮性シート素材３１，１３１が常に展張状態となり、着用者の手の状態にかかわらず、装飾性を良好に維持することができる。
【００４２】
また、上記実施の形態１に係る手甲用装飾品は、手甲装飾部３０の装着時に、伸縮性シート素材３１の伸縮性（弾性）により、伸縮性シート素材３１の底辺両端の連結リング４０が、その直径方向を伸縮性シート素材３０の斜辺と略同一方向に延ばした状態でコーナー用係合部３３とコーナー用係合部２３とを連結するよう、伸縮性シート素材３１の底辺の長さが手首Ｗの幅と同一か若干小さい長さに設定される。したがって、伸縮性シート素材３１，１３１の斜辺方向が、伸長時に外力の加わる方向と一致するため、伸縮性シート素材３１，１３１が二等辺三角形を均等に拡大するよう伸張する。更に、手首近傍に位置する複数（４個の）均等配置された連結リング４０により、手甲用装飾品全体に独特の意匠的効果を付与することができると共に、リング部１０、リスト部２０及び手甲装飾部３０に加えて連結リング４０をも交換することで、一層多種多彩な装飾の変化を楽しむことができる。更にまた、連結リング４０は円環状であるため、手首Ｗの幅方向両端では手首Ｗの撓骨先端部及び尺骨先端部に沿って傾斜して、自然に手首Ｗの側面形状に沿う形となり、また、手首Ｗの中央部では手首Ｗの上面（甲Ｂ側の面）の形状に自然に沿う形となる。
【００４３】
実施の形態４
図９は本発明の実施の形態４に係る手甲用装飾品の着用状態（手を開いた状態）を示す平面図である。
図９に示すように、実施の形態４に係る手甲用装飾品は、上記実施の形態２と同様、リング部１０、リスト部２０及び手甲装飾部１３０を備え、リング部１０とリスト部２０との間に手甲装飾部１３０を装着するようになっている。更に、実施の形態４に係る手甲用装飾品は、副リング部２１０と、副手甲装飾部２３０とを備える。副リング部２１０は、着用者の中指３Ｆ以外の指として、小指５Ｆの根元に着脱自在に装着される。副リング部２１０は、小指５Ｆに装着すべく小径とした以外は、リング部１０とほぼ同様の構成であり、基部１１と同様の構成で若干小径の基部２１１と、頂点用掛止部１２と同様の構成の頂点用掛止部２１２とを有する。副手甲装飾部２３０は、リング部２１０及びリスト部２０と別体で形成され、着用者の小指５Ｆの根元に頂点部を配置すると共に手首Ｗに底辺（頂点の対辺）を配置した三角形状（略直角三角形状）の伸縮性シート素材２３１からなる。また、副手甲装飾部２３０は、頂点部に副リング部２１０へ着脱自在な副リング側取付部２３１ａを一体的に固定している。副リング側取付部２３１ａは実施の形態２のリング側取付部１３１ａと同様の構成である。更に、副手甲装飾部２３０は、底辺の両端部にリスト部２０のコーナー用掛止部２２へ着脱自在なリスト側取付部としてのコーナー用係合部２３３を一体的に固定している。加えて、副手甲装飾部２３０は、底辺の中央部にリスト部２０の中間用掛止部２３へ着脱自在なリスト側取付部としての中間用係合部２３４を一体的に固定している。
【００４４】
このように構成した実施の形態４に係る手甲用装飾品は、まず、上記実施の形態２と同様にして、リング部１０とリスト部２０との間に手甲装飾部１３０を装着すると共に、小指５Ｆに副リング部２１０を嵌め、手甲装飾部１３０の上側或いは下側に、副手甲装飾部２３０を装着する。即ち、副手甲装飾部２３０のリング側取付部２３１ａを副リング部２１０の頂点用掛止部２１２に掛止し、副手甲装飾部２３０のコーナー用係合部２３３及び中間用係合部２３４を、それぞれ、リスト部２０のコーナー用掛止部２２及び中間用掛止部２３に掛止する。これにより、リング部１０とリスト部２０との間での手甲装飾部１３０による装飾性に加え、副リング部２１０とリスト部２０との間での副手甲装飾部２３０による装飾性を発揮することができる。
【００４５】
ところで、本発明に係る手甲用装飾品は、上記課題を達成できる範囲内で、リング部、リスト部及び手甲装飾部を上記実施の形態と異なる構成とすることができる。例えば、手甲装飾部の頂点及び底辺両端のリング部及びリスト部への取付は、それらを着脱自在とする限りにおいて各種の機構乃至構成とすることができる。
【図面の簡単な説明】
【００４６】
【図１】図１は本発明の実施の形態１に係る手甲用装飾品の着用状態（手を開いた状態）を示す平面図である。
【図２】図２は本発明の実施の形態１に係る手甲用装飾品を示す分解斜視図である。
【図３】図３は本発明の実施の形態２に係る手甲用装飾品の着用状態（手を開いた状態）を示す平面図である。
【図４】図４は本発明の実施の形態３に係る手甲用装飾品を示す分解斜視図である。
【図５】図5は本発明の実施の形態１に係る手甲用装飾品及び実施の形態２に係る手甲用装飾品の連結部分を拡大して示す斜視図であり、（ａ）は実施の形態１または実施の形態３のリング側連結部、（ｂ）は実施の形態２のリング側連結部、（ｃ）は実施の形態１のリスト側連結部、（ｄ）は実施の形態２または実施の形態３のリスト側連結部をそれぞれ示す。
【図６】図６は本発明の手甲用装飾品の手甲装飾部をリング部及びリスト部に装着する方法を説明するための斜視図である。
【図７】図７は本発明に係る手甲用装飾品の手甲装飾部と着用者の指の開閉動作（外転及び内転）との関係を示す説明図である。
【図８】図８は本発明に係る手甲用装飾品の手甲装飾部と着用者の手の開閉動作との関係を示す説明図である。
【図９】図９は本発明の実施の形態４に係る手甲用装飾品の着用状態（手を開いた状態）を示す平面図である。
【符号の説明】
【００４７】
１０：リング部、頂点用掛止部１２
２０：リスト部、２２：コーナー用掛止部、２３：中間用掛止部
３０：手甲装飾部、３１：伸縮性シート素材
３２：頂点用係合部（リング側取付部）、３３：コーナー用係合部（リスト側取付部）
３４：中間用係合部（リスト側取付部）、４０：連結リング
１３０：手甲装飾部、１３１：伸縮性シート素材
１３１ａ：頂点用係合部（リング側取付部）
２１０：副リング部、２３０：副手甲装飾部、２３１：伸縮性シート素材
【図１】
2008307232.tif 000003
【図２】
2008307232.tif 000004
【図３】
2008307232.tif 000005
【図４】
2008307232.tif 000006
【図５】
2008307232.tif 000007
【図６】
2008307232.tif 000008
【図７】
2008307232.tif 000009
【図８】
2008307232.tif 000010
【図９】
2008307232.tif 000011
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
着用者の中指の根元に着脱自在に装着され、手甲側の略中央に頂点用掛止部を一体的に設けた円環状のリング部と、
着用者の手首に着脱自在に装着され、手首の幅方向両端の撓骨先端部及び尺骨先端部に対応する位置にそれぞれコーナー用掛止部を一体的に設けたリスト部と、
前記リング部及び前記リスト部と別体で形成され、着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点部に前記リング部の頂点用掛止部へ着脱自在なリング側取付部を一体的に設けると共に、前記伸縮性シート素材の少なくとも底辺の両端部に前記リスト部のコーナー用掛止部へ着脱自在なリスト側取付部をそれぞれ一体的に設けた手甲装飾部とを備え、
前記手甲装飾部のリング側取付部を前記リング部の頂点用掛止部に取付けると共に、リスト側取付部を前記リスト部の両端部付近の前記コーナー用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部とをそれぞれ着用者の中指の根元と手首の両端の撓骨及び尺骨の先端付近との間で三点支持し、着用者の手の開閉動作に伴う前記伸縮性シート素材の移動点を着用者の中指の根元部分に対応する頂点部のみとして、着用者が手を完全に開いたときでも前記収縮性シート素材がそれらの三点間で弾性的に均等に展張した状態となり、かつ、着用者の手の開閉動作時には前記伸縮性シート素材の頂点部が不変位置にある前記底辺の両端部から均等に離間・接近するようにしたことを特徴とする手甲用装飾品。
【請求項２】
着用者の中指の根元に着脱自在に装着され、手甲側に頂点用掛止部を一体的に設けた円環状のリング部と、
着用者の手首に着脱自在に装着され、手首の幅方向両端の撓骨先端部及び尺骨先端部に対応する位置にそれぞれコーナー用掛止部を一体的に設けると共に、当該一対のコーナー用掛止部の間において一定間隔を置いた２ヶ所に中間用掛止部を設けたリスト部と、
着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点の一箇所に前記リング部の頂点用掛止部に掛止して着脱自在に取付けられるリング側取付部を一体的に設けると共に、前記伸縮性シート素材の底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に設けてなる手甲装飾部とを備え、
前記手甲装飾部のリング側取付部を前記リング部の頂点用掛止部に取付けると共に、リスト側取付部を前記リスト部のコーナー用掛止部及び中間用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部の二点とをそれぞれ着用者の中指の根元と手首の両端の撓骨及び尺骨の先端付近との間で三点支持し、かつ、前記伸縮性シート素材の頂点部と底辺中央の二点とをそれぞれ着用者の中指の根元と手首の幅方向中央の二点との間でも三点支持し、着用者の手の開閉動作に伴う前記伸縮性シート素材の移動点を着用者の中指の根元部分に対応する頂点部のみとして、着用者が手を完全に開いたときでも前記伸縮性シート素材が前記頂点と底辺の四点との間で弾性的に均等に展張した状態となり、かつ、着用者の手の開閉動作時には前記伸縮性シート素材の頂点部が不変位置にある前記底辺の両端部から均等に離間・接近するようにしたことを特徴とする手甲用装飾品。
【請求項３】
前記手甲装飾部は、前記伸縮性シート素材の高さを着用者が手を完全に開いたときの中指の根元から手首までの距離より若干小さい高さに設定すると共に、着用者が手を握ったときの手首から中指の根元までの距離の増加に応じて前記伸縮性シート素材が弾性的に追従変形して展張状態を維持するようその伸縮性を設定したことを特徴とする請求項１または２記載の手甲用装飾品。
【請求項４】
着用者の中指の根元に着脱自在に装着され、手甲側に頂点用掛止部を一体形成した円環状のリング部と、
着用者の手首に着脱自在に装着され、少なくとも手の甲側の端縁において手首の幅方向両端の尺骨先端部及び撓骨先端部に対応する位置にそれぞれコーナー用掛止部を一体形成すると共に、当該一対のコーナー用掛止部の間において一定間隔を置いた２ヶ所にそれぞれ中間用掛止部を一体形成したリスト部と、
着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点の一箇所に前記リング部の頂点用掛止部に掛止して着脱自在に取付けられるリング側取付部を一体的に固定すると共に、前記伸縮性シート素材の底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に固定してなる手甲装飾部と、
前記手甲装飾部のリスト側取付部にそれぞれ着脱自在に取付けられて、前記リスト部のコーナー用掛止部及び中間用掛止部と前記手甲装飾部のリスト側取付部との間を連結する円形環状の連結リングとを備え、
前記手甲装飾部のリング側取付部を前記リング部の頂点用掛止部に掛止して取付けると共に、前記連結リングを前記手甲装飾部のリスト側取付部に取付けて、当該連結リングを前記リスト部のコーナー用掛止部及び中間用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部の二点とをそれぞれ着用者の中指の根元と手首の両端の撓骨及び尺骨の先端付近との間で三点支持し、かつ、前記伸縮性シート素材の頂点部と底辺中央の二点とをそれぞれ着用者の中指の根元と手首の幅方向中央の二点との間でも三点支持し、着用者の手の開閉動作に伴う前記伸縮性シート素材の移動点を着用者の中指の根元部分に対応する頂点部のみとして、着用者が手を完全に開いたときでも前記伸縮性シート素材が前記頂点と底辺の四点との間で弾性的に均等に展張した状態となり、かつ、着用者の手の開閉動作時には前記伸縮性シート素材の頂点部が不変位置にある前記底辺の両端部から均等に離間・接近するようにしたことを特徴とする手甲用装飾品。
【請求項５】
更に、
着用者の中指以外の指の根元に着脱自在に装着される副リング部と、
前記リング部及び前記リスト部と別体で形成され、着用者の中指以外の指の根元に頂点部を配置すると共に手首に底辺を配置した三角形状の伸縮性シート素材からなり、前記頂点部に前記副リング部へ着脱自在な副リング側取付部を一体的に設けると共に、少なくとも底辺の両端部に前記リスト部へ着脱自在なリスト側取付部を一体的に設けてなる副手甲装飾部を備えることを特徴とする請求項１乃至４のいずれか１項記載の手甲用装飾品。
【手続補正２】
【補正対象書類名】明細書
【補正対象項目名】全文
【補正方法】変更
【補正の内容】
【発明の詳細な説明】
【技術分野】
【０００１】
本発明は、主に着用者の手の甲を覆って装飾する手甲用装飾品に関する。
【背景技術】
【０００２】
従来、男性用または女性用の貴金属等の装飾品としては、着用者の指に嵌める指輪や、手首に嵌めるブレスレット等が一般的である。一方、本発明者は、個人の趣味や嗜好の多様化を考慮すると、着用者の手の周辺を装飾する装飾品として指輪やブレスレット以外の新しいタイプの手用の装飾品に対する潜在的ニーズが確実にあると考え、本発明を着想すると共に、鋭意研究の結果、本発明をなしえた。なお、指輪やブレスレット以外の手用の装飾品に関するアイデアとして、例えば、特許文献１に記載のものが提案されている。
【特許文献１】特開２００５−３４２４６７号公報
【０００３】
特許文献１には、手の甲部分を装飾するための身体装飾品が開示されている。この身体装飾品は、デコレーションピースに、指への装着手段としてのフィンガーピースと手首への装着手段としてのインレイピースを設け、デコレーションピースを手の甲上面に位置させるようにしている。詳細には、フィンガーピースは、線材を螺旋コイル状に形成した指挿入部と、この指挿入部の下部に連続する湾曲部と、この湾曲部端を鈍角に折曲してなる直線状の嵌入部とから形成される。各部は１本の線材を用いて一体に形成される。また、デコレーションピースは、フィンガーピースと同材質の線材を略同心円状の渦巻き形に形成してなる装飾部と、この装飾部の外周部に位置する線材に取り付けられる上部嵌装体及び下部嵌装体とから形成される。更に、インレイピースもフィンガーピースと同様の線材を用いて製作され、線材を略半円形に形成した装着部と、円弧形線材の端部に楕円ループを形成した長さの異なる３本の装飾体と、線材を緩やかに湾曲させた湾曲部と、この湾曲部端を折曲して直線部分とした嵌入部とから形成される。また、前記嵌装体と同様構成物の固定部を設け、装着部、装飾体、嵌入材の各端部をそろえ、この端部を固定部の内部に位置させて押圧固定する。
【０００４】
そして、使用時には、まずフィンガーピースの嵌入部をデコレーションピースの上部嵌装体内へ挿入し、次ぎにインレイピースの嵌入部をデコレーションピースの下部嵌装体内へ挿入する。この作業により３個の各ピースが接続される。これを手・指に取り付けるには、左手の小指の先からフィンガーピースを指の根本に向けて挿入し、インレイピースを手首の上からはめ込み、インレイピースの装着部の両端を外側から軽く押圧して手首にフィットさせる。すると、デコレーションピースは手の甲面に安定位置することとなり、手の装飾としての視覚的効果を発揮するとされている。なお、特許文献１の身体装飾品は、フィンガーピースサイズを適宜に選択することにより、右手に取り付けることができる。即ち、右手の人差し指にフィンガーピースを挿入して同様のスタイルとすることができるとされている。
【発明の開示】
【発明が解決しようとする課題】
【０００５】
しかし、特許文献１に記載の身体装飾品は、デコレーションピースに設けた上部嵌装体及び下部嵌装体にフィンガーピースの嵌入部及びインレイピースの嵌入部をそれぞれ貫入して3個のピースを接続し、その状態でフィンガーピースを指に取付けると共にインレイピースを手首に取付ける。したがって、その着用状態では、デコレーションピースが、上下の嵌入部の二点で嵌入により支持されるのみであり、かつ、デコレーションピースが手の甲の片側（小指側）に配置されることになる。その結果、その静止状態ではデコレーションピースは安定すると思われるが、着用者が手を上下左右等の任意の方向に動かしたり、手を開いたり握り締めたりする動作を行った場合に、デコレーションピースが手の甲の上で位置ずれしたり、最悪の場合、デコレーションピースの嵌入部が嵌装体から抜け落ちてデコレーションピースが脱落したりする可能性がある。即ち、特許文献１に記載の身体装飾品は、基本的に、装飾部や取付部を構成する各ピース自体の装飾性や、それらピース相互の接続構造についてのみ考察し、手の動きに伴う各部分の動作については全く考慮していない。
【０００６】
更に、上記のように、特許文献1の身体装飾品は、着用者の手の動作に伴う手や指の動きや皮膚の動きを全く考慮していないため、当然、手や指の動作がデコレーションピース等に与える影響についても全く考察していない。したがって、特許文献1の身体装飾品は、着用者が手を開いたり握り締めたりしたときの手の各部分の動作に伴い、特に主装飾部分であるデコレーションピースが変形したり、よじれたりして、その本来の装飾性を損なう可能性がある。
【０００７】
ここで、本発明者は、近年、文房具や家具、パソコンのキーボード等、人間が使用する道具の分野においては、物を人が自然な動きや状態で使えるように設計する人間工学が採用され、かかる人間工学的見地からそのデザイン（工業デザイン）が検討されていることに着目し、かかる人間工学または人体工学を装飾品に応用することができれば、斬新な装飾性と共に快適な着用性をも提供することができると考え、鋭意研究の結果、本発明に想到した。
【０００８】
即ち、本発明者は、着用者が日常生活において手を任意の方向に動かしたり、手を開いたり握り締めたりする動作が頻繁に行われることから、これら各種動作に伴う手の各部位の動作を研究し、手の各部位の動作が着用時の装飾品に与える影響を考察することで、着用者に対して快適な着用性を付与すると共に、本来の装飾性を一層際立たせることができる手甲用装飾品を発明した。具体的には、手根部（手と腕との間の接合部）、中手部（手の甲または掌に相当する部分）及び指（五指）からなる手の骨格や、手背部（手根部と中手部の手の甲側の面）と手掌部（手根部と中手部の掌側の面）とにおける皮膚構造の違い等を検討すると共に、着用者の各種動作に伴う手の骨格の動作や皮膚の動作を考察することで、着用者に対して快適な着用性を付与すると共に、本来の装飾性を一層際立たせることができる手甲用装飾品を発明した。
【０００９】
そこで、本発明は、主に着用者の手の甲を覆って斬新な装飾性を発揮する一方、着用者に対して快適な着用性を付与し、かつ、本来の装飾性を一層際立たせることができる手甲用装飾品の提供を課題とする。
【課題を解決するための手段】
【００１０】
請求項１に係る手甲用装飾品は、着用者の中指の根元に着脱自在に装着され、手甲側の略中央に頂点用掛止部を一体的に設けた円環状のリング部と、着用者の手首に着脱自在に装着され、手首の幅方向両端の撓骨先端部及び尺骨先端部に対応する位置にそれぞれコーナー用掛止部を一体的に設けたリスト部と、前記リング部及び前記リスト部と別体で形成され、着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点部に前記リング部の頂点用掛止部へ着脱自在なリング側取付部を一体的に設けると共に、前記伸縮性シート素材の少なくとも底辺の両端部に前記リスト部のコーナー用掛止部へ着脱自在なリスト側取付部をそれぞれ一体的に設けた手甲装飾部とを備え、前記手甲装飾部のリング側取付部を前記リング部の頂点用掛止部に取付けると共に、リスト側取付部を前記リスト部の両端部付近の前記コーナー用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部とをそれぞれ着用者の中指の根元と手首の両端の撓骨及び尺骨の先端付近との間で三点支持し、着用者の手の開閉動作に伴う前記伸縮性シート素材の移動点を着用者の中指の根元部分に対応する頂点部のみとして、着用者が手を完全に開いたときでも前記収縮性シート素材がそれらの三点間で弾性的に均等に展張した状態となり、かつ、着用者の手の開閉動作時には前記伸縮性シート素材の頂点部が不変位置にある前記底辺の両端部から均等に離間・接近するようにした。
【００１１】
請求項２に係る手甲用装飾品は、着用者の中指の根元に着脱自在に装着され、手甲側に頂点用掛止部を一体的に設けた円環状のリング部と、着用者の手首に着脱自在に装着され、手首の幅方向両端の撓骨先端部及び尺骨先端部に対応する位置にそれぞれコーナー用掛止部を一体的に設けると共に、当該一対のコーナー用掛止部の間において一定間隔を置いた２ヶ所に中間用掛止部を設けたリスト部と、着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点の一箇所に前記リング部の頂点用掛止部に掛止して着脱自在に取付けられるリング側取付部を一体的に設けると共に、前記伸縮性シート素材の底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に設けてなる手甲装飾部とを備え、前記手甲装飾部のリング側取付部を前記リング部の頂点用掛止部に取付けると共に、リスト側取付部を前記リスト部のコーナー用掛止部及び中間用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部の二点とをそれぞれ着用者の中指の根元と手首の両端の撓骨及び尺骨の先端付近との間で三点支持し、かつ、前記伸縮性シート素材の頂点部と底辺中央の二点とをそれぞれ着用者の中指の根元と手首の幅方向中央の二点との間でも三点支持し、着用者の手の開閉動作に伴う前記伸縮性シート素材の移動点を着用者の中指の根元部分に対応する頂点部のみとして、着用者が手を完全に開いたときでも前記伸縮性シート素材が前記頂点と底辺の四点との間で弾性的に均等に展張した状態となり、かつ、着用者の手の開閉動作時には前記伸縮性シート素材の頂点部が不変位置にある前記底辺の両端部から均等に離間・接近するようにした。
【００１２】
請求項３に係る手甲用装飾品では、請求項１または２の構成において、前記手甲装飾部は、前記伸縮性シート素材の高さを着用者が手を完全に開いたときの中指の根元から手首までの距離より若干小さい高さに設定すると共に、着用者が手を握ったときの手首から中指の根元までの距離の増加に応じて前記伸縮性シート素材が弾性的に追従変形して展張状態を維持するようその伸縮性を設定している。
【００１３】
請求項４に係る手甲用装飾品は、着用者の中指の根元に着脱自在に装着され、手甲側に頂点用掛止部を一体形成した円環状のリング部と、着用者の手首に着脱自在に装着され、少なくとも手の甲側の端縁において手首の幅方向両端の尺骨先端部及び撓骨先端部に対応する位置にそれぞれコーナー用掛止部を一体形成すると共に、当該一対のコーナー用掛止部の間において一定間隔を置いた２ヶ所にそれぞれ中間用掛止部を一体形成したリスト部と、着用者が手を完全に開いたときの中指の根元から手首までの距離より若干小さい高さと、手首の幅と略同一の長さの底辺とを有する略二等辺三角形状をなすと共に略全方向に伸縮性及び可撓性を有する伸縮性シート素材からなり、前記伸縮性シート素材の頂点の一箇所に前記リング部の頂点用掛止部に掛止して着脱自在に取付けられるリング側取付部を一体的に固定すると共に、前記伸縮性シート素材の底辺の両端の２箇所と同両端間において一定間隔を置いた２箇所との合計４箇所に、それぞれ、前記リスト部のコーナー用掛止部及び中間用掛止部にそれぞれ掛止して着脱自在に取付けられるリスト側取付部を一体的に固定してなる手甲装飾部と、前記手甲装飾部のリスト側取付部にそれぞれ着脱自在に取付けられて、前記リスト部のコーナー用掛止部及び中間用掛止部と前記手甲装飾部のリスト側取付部との間を連結する円形環状の連結リングとを備え、前記手甲装飾部のリング側取付部を前記リング部の頂点用掛止部に掛止して取付けると共に、前記連結リングを前記手甲装飾部のリスト側取付部に取付けて、当該連結リングを前記リスト部のコーナー用掛止部及び中間用掛止部にそれぞれ取付けることにより、前記手甲装飾部の伸縮性シート素材の頂点部を着用者の中指の根元に配置すると共に、当該伸縮性シート素材の底辺の両端部を着用者の手首の撓骨先端部及び尺骨先端部近傍にそれぞれ配置して、前記伸縮性シート素材の頂点部と底辺の両端部の二点とをそれぞれ着用者の中指の根元と手首の両端の撓骨及び尺骨の先端付近との間で三点支持し、かつ、前記伸縮性シート素材の頂点部と底辺中央の二点とをそれぞれ着用者の中指の根元と手首の幅方向中央の二点との間でも三点支持し、着用者の手の開閉動作に伴う前記伸縮性シート素材の移動点を着用者の中指の根元部分に対応する頂点部のみとして、着用者が手を完全に開いたときでも前記伸縮性シート素材が前記頂点と底辺の四点との間で弾性的に均等に展張した状態となり、かつ、着用者の手の開閉動作時には前記伸縮性シート素材の頂点部が不変位置にある前記底辺の両端部から均等に離間・接近するようにした。
【００１４】
請求項５に係る手甲用装飾品は、請求項１乃至４のいずれかの構成において、更に、着用者の中指以外の指の根元に着脱自在に装着される副リング部と、前記リング部及び前記リスト部と別体で形成される副手甲装飾部とを備える。副手甲装飾部は、着用者の中指以外の指の根元に頂点部を配置すると共に手首に底辺（頂点の対辺）を配置した三角形状（例えば、人差指や小指の場合は直角三角形）の伸縮性シート素材からなり、前記頂点部に前記副リング部へ着脱自在な副リング側取付部を一体的に設ける（例えば、固定する）と共に、少なくとも底辺の両端部に前記リスト部へ着脱自在なリスト側取付部を一体的に設けている（例えば、固定している）。
【発明の効果】
【００１５】
請求項１に係る手甲用装飾品は、着用状態では、着用者が手を完全に開いたときでも、手甲装飾部の伸縮性シート素材が頂点部と底辺両端部との三点間で弾性的に均等に展張した状態となり、伸縮性シート素材に弛みや皺が生じたり、全体の本来の二等辺三角形状が歪んだりすることがない。一方、着用者が手を一部握ったり、完全に握り締めたりしたときは、主に中指の関節の屈曲に伴う形状及び寸法変化（伸張）に追従して、伸縮性シート素材の頂点部が高さ方向に移動し、全体が伸張する。また、このとき、伸縮性シート素材の底辺の両端部は、この動作に伴っても位置が変わらない撓骨先端部と尺骨先端部の近傍に位置する。したがって、伸縮性シート素材は手の開閉動作にしたがって円滑に均等に伸張する。また、頂点部の移動量に応じて伸縮性シート素材の高さが増大するが、全体としては、伸縮性シート素材は本来の二等辺三角形を維持する。よって、手の開閉動作時にも、二等辺三角形状の伸縮性シート素材が底辺両端から頂点にかけて全体的に均等に伸縮し、伸縮性シート素材に弛みや皺が生じることがなく、伸縮性シート素材を完全な展張状態として着用者の手甲を覆うことができる。その結果、請求項１に係る手甲用装飾品は、装飾品としての意匠性を損なうことがなく、装飾部分としての手甲装飾部（特に、伸縮性シート素材）が本来意図する高い装飾性を十分に発揮することができる。加えて、着用状態で着用者が手を開いたり握ったりしても、手甲装飾部の伸縮性シート素材が手の甲の形状変化及び任意の方向への寸法変化に対して完全に形状追従及び寸法追従する。その結果、着用者にとって装着による違和感がない。更に、リング部、リスト部及び手甲装飾部のいずれか１以上を交換することにより、さまざまなデザインの装飾品として嗜好性及び意匠性を向上することができる。この場合も、手甲装飾部の着脱交換が非常に容易となる。
【００１６】
請求項２に係る手甲用装飾品は、請求項１の効果に加え、頂点の１箇所と、底辺の合計４箇所で支持するため、三点支持に加え、頂点と中央の二点との間でも、二等辺三角形状の展張状態を形成することができ、全体をより満遍なく均等に展張状態とすることができる。
【００１７】
請求項３に係る手甲用装飾品は、請求項１または２の効果に加え、（前記リング部と前記リスト部との間に装着した状態で着用者が手を完全に開いたときでも前記伸縮性シート素材が弾性的に若干の展張状態となる。即ち、伸縮性シート素材は常に展張状態となり、着用者の手の状態にかかわらず、装飾性を良好に維持することができる。
【００１８】
請求項４に係る手甲用装飾品は、請求項２の効果に加え、連結リングにより、独特の意匠的効果を発揮することができると共に、リング部、リスト部及び手甲装飾部を交換することで、更に、連結リングを交換することで一層多種多彩な装飾の変化を楽しむことができる。また、連結リングは円環状であるため、手首の幅方向両端では手首の撓骨の先端部及び尺骨の先端部に沿って傾斜して自然に手首の側面形状に沿う形となり、また、手首の中央部では手首の上面（甲側の面）形状に自然に沿う形となる。
【００１９】
請求項５に係る手甲用装飾品は、請求項１乃至４のいずれかの効果に加え、副リング部及び副手甲装飾部による追加的な独特の意匠的効果を発揮する。
【発明を実施するための最良の形態】
【００２０】
以下、本発明を実施するための最良の形態（以下、実施の形態という）を説明する。なお、各実施の形態を通じ、同一の部材、要素または部分には同一の符号を付して、その説明を省略する。
【００２１】
実施の形態１
図１は本発明の実施の形態１に係る手甲用装飾品の着用状態（手を開いた状態）を示す平面図である。図２は本発明の実施の形態１に係る手甲用装飾品を示す分解斜視図である。
図１及び図２に示すように、実施の形態１に係る手甲用装飾品は、リング部１０、リスト部２０及び手甲装飾部３０を備える。リング部１０は、着用者の手Ｈの五指（親指１Ｆ、人差指２Ｆ、中指３Ｆ、薬指４Ｆ、小指５Ｆ）のうち中指２Ｆの根元（基節骨の根元、即ち、中手指節関節付近）に着脱自在に装着される。また、リング部１０は、円環状の基部１１と、基部１１の手の甲Ｂ側の端縁の所定位置（基部１１を中指Ｆ３に嵌めたときに甲側に位置する部分の略中央）に一体形成されたフック状乃至鉤状の頂点用掛止部１２とを有する。頂点用掛止部１２は、基部１１を中指Ｆ３に嵌めたとき、基部１１の端縁から手の甲Ｂに向かって突出し指側へ湾曲復帰する略Ｕ字状をなす。リング部１０は、例えば、貴金属を含む金属製、樹脂製、皮革製等とすることができる。次に、リスト部２０は、着用者の手首（撓骨及び尺骨の各先端部付近または手根骨側の端部付近）に着脱自在に装着される円環状をなす。リスト部２０は、手首Ｗの外周形状に対応する略楕円リング状をなす基部２１を有している。基部２１は、基部２１の手の甲Ｂ側の端縁には、一対のフック状乃至鉤状のコーナー用掛止部２２及び一対のフック状乃至鉤状の中間用掛止部２３が一体形成されている。コーナー用掛止部２２は、それぞれ、基部２１において手首Ｗの幅方向両端（撓骨及び尺骨に対応する位置）に対応する位置に形成され、中間用掛止部２３は、それぞれ、コーナー用掛止部２２間において一定間隔を置いた２箇所（手首Ｗの甲側の面の撓骨及び尺骨間の２箇所）に形成されている。また、コーナー用掛止部２２及び中間用掛止部２３は、それぞれ、基部２１を手首Ｗに嵌めたとき、基部２１の端縁から手の甲Ｂに向かって突出し手首Ｗ側へ湾曲復帰する略Ｕ字状をなす。リスト部２０は、例えば、貴金属を含む金属製、樹脂製、皮革製等とすることができるが、手首Ｗに着脱できるよう、一部を開閉自在な機構としたり、手首Ｗへ装着できる程度の伸縮性を有する素材から全体を形成したりする。
【００２２】
手甲装飾部３０は、着用者の中指３Ｆの根元から手首Ｗまでの距離に相当する高さと、手首Ｗの幅（手首Ｗ両側間の距離）に相当する長さの底辺とを有する略二等辺三角形状をなすと共に略全方向に伸縮性及び可撓性を有する伸縮性シート素材３１からなる。伸縮性シート素材３１は、任意の方向乃至略全方向に伸縮性及び可撓性を有する限りにおいて任意のシート素材とすることができるが、例えば、ポリアミド繊維とポリウレタン繊維またはウール繊維等との混合繊維からなるストッキング素材と同様の伸縮性シート素材を、上記二等辺三角形状に裁断・端部処理等して好適に製造することができる。また、伸縮性シート素材３１は、その全面に所定の模様（図示の例では星型模様）を均等にバランスよく配置して模様部３１ａを形成している。模様部３１ａの模様は、伸縮性シート素材３１の全面にわたって所定の整列態様で配置されている。例えば、模様部３１ａの模様は、伸縮性シート素材３１の左右方向（底辺と平行な方向）に一定間隔で密に並列した状態で、その各列が上下方向（高さ方向）に一定間隔をおいて密に配置されている。そして、模様部３１ａの模様の配置態様は、伸縮性シート素材３１の二等辺三角形状に対応して設定され、伸縮性シート素材３１を上下左右（面方向）に引っ張って伸張拡大したときに、模様部３１ａの模様が均等に間隔を広げて、全体としての模様のバランスを維持するようになっている。
【００２３】
手甲装飾部３０は、伸縮性シート素材３１の頂点の一箇所に小径（直径２〜５ｍｍ程度）の円環状のリング側取付部３２を一体的に固定している。リング側取付部３２は、リング部１０の頂点用掛止部１２に引っ掛けて掛止して着脱自在に取付けられる。また、手甲装飾部３０は、伸縮性シート素材３１の底辺の両端の２箇所と同両端間において一定間隔を置いた２箇所との合計４箇所に、それぞれ、小径（直径２〜５ｍｍ程度）の円環状のリスト側取付部３３，３４を一体的に固定していている。詳細には、伸縮性シート素材３１の底辺には、その両端の２箇所にリスト側取付部としての一対のコーナー用係合部３３が一体的に固着され、両コーナー用係合部３３間の２箇所に一定間隔を置いて一対の中間用係合部３４が一体的に固着されている。コーナー用係合部３３には、それぞれ、当該コーナー用係合部３３より大径（直径８ｍｍ〜１５ｍｍｍ程度）の円形環状をなす連結リング４０が着脱自在に取付けられる。同様に、中間用係合部３４にも、それぞれ、連結リング４０が着脱自在に取付けられる。連結リング４０は、図２に示すように、円環を２回周回してその両端を軸方向の反対側端で開放して開放端４１とする二重リング状をなす。連結リング４０は、コーナー用係合部３３または中間用係合部３４を一方の開放端４１から二重リング間に押し込んで他方の開放端４１を越えて周方向に移動することにより、コーナー用係合部３３または中間用係合部３４に取付けるようになっている。なお、上記とは逆に、コーナー用係合部３３または中間用係合部３４を連結リング４０の他方の開放端４１から二重リング間に押し込んで一方の開放端４１を越えて周方向に移動することにより、連結リング４０をコーナー用係合部３３または中間用係合部３４から取り外すことができる。
【００２４】
コーナー用係合部３３及び中間用係合部３４にそれぞれ取付けた４個の連結リング４０は、それぞれ、リスト部２０のコーナー用掛止部２２及び中間掛止部２４に引っ掛けて掛止される。即ち、手甲装飾部３０のコーナー用係合部３３に取付けた一対の連結リング４０は、リスト部２０のコーナー用掛止部２２にそれぞれ引っ掛けて掛止され、中間用係合部３４に取付けた一対の連結リング４０は、リスト部２０の中間用掛止部２３にそれぞれ引っ掛けて掛止される。このように、連結リング４０は、手甲装飾部３０のリスト側取付部としてのコーナー用係合部３３及び中間用係合部３４にそれぞれ着脱自在に取付けられて、リスト部２０のコーナー用掛止部２２及び中間用掛止部２３と手甲装飾部３０のコーナー用係合部３３及び中間用係合部３４との間を連結する。
【００２５】
実施の形態１に係る手甲用装飾品は、手甲装飾部３０の頂点用係合部３２をリング部１０の頂点用掛止部１２に引っ掛けて掛止すると共に、連結リング４０を手甲装飾部３０のコーナー用係合部３３及び中間用係合部３４にそれぞれ取付けて、当該連結リング４０をリスト部２０のコーナー用掛止部２２及び中間用掛止部２３にそれぞれ引っ掛けて掛止することにより、伸縮性シート素材１３１がリング部１０とリスト部２０との間で弾性的に展張状態となり、手甲装飾部３０が頂点部及び底辺両端部の連結リング４０により三点支持されると共に、底辺の中央の連結リング４０の二点でも支持される。このとき、着用者が手を完全に開いたときでも、手甲装飾部３０が頂点の一点と底辺の四点（両端の２点及び中間の二点の合計四点）との間で弾性的に展張した状態となるよう当該手甲装飾部３０全体の高さ及び底辺の長さを設定している。手甲装飾部３０全体の高さは、通常、全ての部品の取付状態乃至組立状態における、伸縮性シート素材３１の高さと、頂点用係合部３２の高さと、コーナー用係合部３３及び中間用係合部３４の高さと、連結リング４０の高さとの総合計高さとなり、伸縮性シート素材３１の高さと、頂点用係合部３２の直径（内径） と、コーナー用係合部３３及び中間用係合部３４の直径（内径）と、連結リング４０の直径（内径）とを合計した高さに相当する。また、手甲装飾部３０全体の底辺の長さは、通常、伸縮性シート素材３１の底辺の長さに相当する。逆に言えば、伸縮性シート素材３１の高さは、リング部１０及びリスト部２０の対向端縁間の距離に対して、頂点用係合部３２の直径とコーナー用係合部３３または中間用係合部３４の直径と連結リング４０の直径との分だけ小さくなり、手甲装飾部３０の装着時における伸縮性シート素材３１の底辺の位置は、手首Ｗより若干上側（甲Ｂ側）の位置（甲Ｂと手首Ｗとの間のくぼみ部分の上端付近）となる。そして、手甲装飾部３０の装着時に、伸縮性シート素材３１の伸縮性（弾性）により、伸縮性シート素材３１の底辺両端の連結リング４０が、その直径方向を伸縮性シート素材３０の斜辺と略同一方向に延ばした状態でコーナー用係合部３３とコーナー用係合部２３とを連結するよう、伸縮性シート素材３１の底辺の長さを手首Ｗの幅と同一か若干小さい長さに設定する。
【００２６】
実施の形態２
図３は本発明の実施の形態２に係る手甲用装飾品の着用状態（手を開いた状態）を示す平面図である。
図３に示すように、実施の形態２に係る手甲用装飾品は、実施の形態１の手甲用装飾品と同様のリング部１０及びリスト部２０を備えている。一方、実施の形態２に係る手甲用装飾品は、まず、手甲装飾部１３０の構成が実施の形態１の手甲装飾部３０と異なっている。詳細には、手甲装飾部１３０は、着用者の中指３Ｆの根元から手首Ｗまでの距離に相当する高さと、手首Ｗの幅に相当する長さの底辺とを有する略二等辺三角形状をなすと共に略全方向に伸縮性及び可撓性を有する伸縮性シート素材１３１からなる。伸縮性シート素材１３１は、任意の方向乃至略全方向に伸縮性及び可撓性を有する限りにおいて実施の形態１の伸縮性シート素材３１と同様、任意のシート素材とすることができる。なお、伸縮性シート素材１３１は、実施の形態１の伸縮性シート素材３１とは異なり、無模様（所定色彩の単色）の無地状とされている。また、手甲装飾部１３０は、更に、手甲装飾部１３０は、伸縮性シート素材１３１の頂点の一箇所の網目状の隙間（１〜３ｍｍ程度の小開口）を、伸縮性シート素材１３１に一体的に設けたリング側取付部（頂点用係合部）１３１ａとして使用している。リング側取付部１３１ａは、リング部１０の頂点用掛止部１２に引っ掛けて掛止して着脱自在に取付けられる。一方、伸縮性シート素材１３１の底辺の両端の２箇所と同両端間において一定間隔を置いた２箇所との合計４箇所には、それぞれ、前記リスト側取付部としてのコーナー用係合部３３及び中間用係合部３４が一体的に固定されている。なお、コーナー用係合部３３及び中間用係合部３４には連結リング４０は取付けられず、コーナー用係合部３３をリスト部２０のコーナー用掛止部２２に、中間用係合部３４をリスト部２０の中間用掛止部２３にそれぞれ引っ掛けて掛止するようになっている。
【００２７】
実施の形態２に係る手甲用装飾品は、実施の形態１に係る手甲用装飾品と同様、手甲装飾部１３０のリング側取付部１３１ａをリング部１０の頂点用掛止部１２に引っ掛けて掛止すると共に、手甲装飾部３０のコーナー用係合部３３及び中間用係合部３４をリスト部２０のコーナー用掛止部２２及び中間用掛止部２３にそれぞれ引っ掛けて掛止することにより、伸縮性シート素材１３１がリング部１０とリスト部２０との間で弾性的に展張状態となり、手甲装飾部３０が頂点部及び底辺両端部の連結リング４０により三点支持されると共に、底辺の中央の連結リング４０の二点でも支持される。このとき、着用者が手を完全に開いたときでも、手甲装飾部１３０が頂点の一点と底辺の四点（両端の２点及び中間の二点の合計四点）との間で弾性的に展張した状態となるよう当該手甲装飾部１３０全体の高さ及び底辺の長さを設定している。手甲装飾部１３０全体の高さは、通常、全ての部品の取付状態乃至組立状態における、伸縮性シート素材１３１の高さと、リング側取付部１３１ａの高さと、コーナー用係合部３３及び中間用係合部３４の高さとの総合計高さとなり、伸縮性シート素材１３１の高さと、コーナー用係合部３３及び中間用係合部３４の直径（内径）とを合計した高さに相当する。また、手甲装飾部１３０全体の底辺の長さは、通常、伸縮性シート素材１３１の底辺の長さに相当する。逆に言えば、伸縮性シート素材１３１の高さは、リング部１０及びリスト部２０の対向端縁間の距離に対して、コーナー用係合部３３または中間用係合部３４の直径の分だけ小さくなり、手甲装飾部１３０の装着時における伸縮性シート素材１３１の底辺の位置は、手首Ｗの直上位置（甲Ｂと手首Ｗとの間のくぼみ部分の下端付近）となる。そして、手甲装飾部１３０の装着時に、伸縮性シート素材１３１の斜辺がリスト部２０の両端のコーナー用係合部２３から頂点まで直線的に延びるよう、伸縮性シート素材１３１の底辺の長さを手首Ｗの幅と同一か若干大きい長さに設定する。このように、伸縮性シート素材１３１は、実施の形態１の伸縮性シート素材３１より若干大きな寸法（高さ及び底辺長さ）となる。即ち、実施の形態２に係る手甲装飾部１３０は、実施の形態１に係る手甲装飾部３０のように連結リング４０を使用しないため、連結リング４０の直径分だけ伸縮性シート素材１３１の高さを大きく設定する。これに伴い、伸縮性シート素材１３１の底辺の長さも伸縮性シート素材３１の底辺の長さより若干大きく設定する。
【００２８】
実施の形態３
図４は本発明の実施の形態３に係る手甲用装飾品を示す分解斜視図である。
図４に示すように、実施の形態３に係る手甲用装飾品は、実施の形態１の手甲用装飾品と同様のリング部１０及びリスト部２０を備えている。また、実施の形態３に係る手甲用装飾品は、実施の形態２と同様、手甲装飾部１３０を使用している。一方、実施の形態３に係る手甲装飾部１３０は、伸縮性シート素材１３１の頂点部のリング側取付部として、網目状の隙間からなる頂点用係合部１３１ａではなく、実施の形態１の頂点用係合部３２を使用している。よって、実施の形態３では、伸縮性シート素材１３１の二等辺三角形状は、頂点用係合部３２の直径分だけ、実施の形態２の伸縮性シート素材１３１より高さが小さくなっている。
【００２９】
図5は本発明の実施の形態１に係る手甲用装飾品及び実施の形態２に係る手甲用装飾品の連結部分を拡大して示す斜視図であり、（ａ）は実施の形態１または実施の形態３のリング側連結部、（ｂ）は実施の形態２のリング側連結部、（ｃ）は実施の形態１のリスト側連結部、（ｄ）は実施の形態２または実施の形態３のリスト側連結部をそれぞれ示す。  上記実施の形態１または実施の形態３に係る手甲用装飾品の場合、手甲装飾部３０の伸縮性シート素材３１または伸縮性シート素材１３１の頂点用係合部３２は、図５（ａ）に示すようにして、リング部１０の頂点用掛止部１２に引っ掛けて係止される。また、実施の形態１に係る手甲用装飾品の場合、手甲装飾部３０の伸縮性シート素材３１のコーナー用係合部３３及び中間用係合部３４は、連結リング４０を介して、図５（ｃ）に示すようにして、リスト部２０のコーナー用掛止部２２及び中間用掛止部２３にそれぞれ引っ掛けて係止される。一方、上記実施の形態２に係る手甲用装飾品の場合、手甲装飾部１３０の伸縮性シート素材１３１のリング側取付部（頂点用係合部）１３１ａは、図５（ｂ）に示すようにして、リング部１０の頂点用掛止部１２に引っ掛けて係止される。また、上記実施の形態２または実施の形態３に係る手甲用装飾品の場合、手甲装飾部１３０の伸縮性シート素材１３１のコーナー用係合部３３及び中間用係合部３４は、直接、図５（ｄ）に示すようにして、リスト部２０のコーナー用掛止部２２及び中間用掛止部２３にそれぞれ引っ掛けて係止される。
【００３０】
装着方法
図６は本発明の手甲用装飾品の手甲装飾部をリング部及びリスト部に装着する方法を説明するための斜視図である。なお、説明の便宜上、図６は実施の形態２に係る手甲用装飾品を使用してその装着方法を説明するが、他の実施の形態に係る手甲用装飾品の場合も同様である。
図６に示すように、実施の形態２に係る手甲用装飾品は、まず、例えば手Ｈを開いた状態で、リング部１０を右手または左手（図示の例では左手）の中指Ｆ３の根元に嵌めて、頂点用掛止部１２を手の甲Ｂ側に配置する。また、リスト部２０を右手または左手（図示の例では左手）の手首Ｗに嵌めて、コーナー用掛止部２２及び中間用掛止部２３を手の甲Ｂ側に配置する。そして、手甲装飾部１３０の頂点用係合部１３１ａをリング部１０の頂点用掛止部１２に引っ掛けて掛止し、その後、伸縮性シート素材１３１を若干引っ張って、その底辺のコーナー用係合部３３及び中間用係合部３４をリスト部２０のコーナー用係合部２３及び中間用係合部２２４に順次引っ掛けて掛止する。これにより、手甲装飾部１３０をリング部１０とリスト部２０との間に簡単かつ迅速に装着することができる。
【００３１】
次に、上記のように構成した実施の形態１〜３を含む本発明に係る手甲用装飾品の作用及び効果について説明する。
図７は本発明に係る手甲用装飾品の手甲装飾部と着用者の指の開閉動作（外転及び内転）との関係を示す説明図である。図８は本発明に係る手甲用装飾品の手甲装飾部と着用者の手の開閉動作との関係を示す説明図である。
上記各実施の形態に係る手甲用装飾品によれば、上記構成の伸縮性シート素材３１，１３１からなる手甲装飾部３０，１３０をリング部１０とリスト部２０との間に取付けると、伸縮性シート素材３１，１３１は、その頂点部の頂点用係合部３２，１３１ａ及び底辺両端部のコーナー用係合部３３を介して、リング部１０の頂点用掛止部１２が位置する中指３Ｆの根元とリスト部２０の両端部のコーナー用掛止部２２が位置する手首Ｗ両端（撓骨及び尺骨の先端）付近との間で三点支持される。このとき、リング側取付部３２，１３１ａ、伸縮性シート素材３１，１３１及びリスト側取付部３３，３４からなる手甲装飾部３０，１３０の全体の高さ設定により、伸縮性シート素材３１，１３１は、着用者が手Ｈを完全に開いたときでも、前記支持点である三点間で弾性的に展張した状態となり、その本来の略二等辺三角形状を維持する。また、手の関節の構造上、着用者が手Ｈを完全に開いた状態（以下、「全開状態」という）から手Ｈを完全に握り締めた状態（以下、「全閉状態」という）との間で手を開閉したとき、着床者の手Ｈの移動部分は屈伸する全指１Ｆ〜５Ｆ及び指の屈伸に追随して伸縮する手の甲Ｂの皮膚となり、手首Ｗ（特に手首の両端付近）は全く移動部分とならない。一方、伸縮性シート素材３１，１３１は、中指３Ｆの根元及び手首Ｗの両端付近にのみ支持（三点支持）されているため、手の開閉動作に伴う伸縮性シート素材３１，１３１の移動点は、中指３Ｆの根元部分に対応する頂点部のみとなる。したがって、伸縮性シート素材３１，１３１は、その頂点部が手Ｈの開閉動作に伴う中指３Ｆの根元部分の屈曲動作に追従して移動する移動起点となり、頂点部が三点支持の他の二点でかつ静止状態（不変位置）にある底辺の両端部から均等に離間・接近するよう移動して、伸縮性素材３１，１３１全体がその高さ方向（底辺中心と頂点とを結ぶ方向）に均等に伸張変形する。その結果、手Ｈの開閉動作によっても、伸縮性シート素材３１，１３１は、その本来の略二等辺三角形状を全体として（若干縦長に）拡大した形状として維持し、一部に緩み、弛み、歪み等を生じて本来の略二等辺三角形状を歪曲することはない。
【００３２】
更に、上記各実施の形態では、伸縮性シート素材３１，１３１は、頂点（頂点用係合部３２，１３１ａ）及び底辺両端（コーナー用係合部３３）間での三点支持に加えて、底辺中央の二点（中間用係合部３４）でも支持される。よって、伸縮性シート素材３１，１３１は、頂点（頂点用係合部３２，１３１ａ）と底辺中央の一対の中間用係合部３４との）間でも三点支持されることになる。したがって、伸縮性シート素材３１，１３１は、頂点及び底辺両端により形成される外形としての二等辺三角形が、頂点用係合部３２，１３１ａ及びコーナー用係合部３３間の三点支持により均等な展張状態とされ、更に、頂点及び底辺中間部の二点により形成される（狭角の）二等辺三角形が、頂点用係合部３２，１３１ａ及び中間用係合部３４間の三点支持により均等な展張状態とされて、それらを組み合わせた均等な展張作用により、全体として一層良好な展張状態となる。なお、伸縮性シート素材３１，１３１の底辺も、コーナー用係合部３３及び中間用係合部３４の四点で安定支持されてその直線形状を維持する。また、伸縮性シート素材３１，１３１の斜辺は、頂点用係合部３２，１３１ａと各コーナー用係合部３３との間で伸張され、その直線形状を維持する。
【００３３】
また、このとき、手Ｈの開閉による指１Ｆ〜５Ｆの屈曲に伴い手の甲Ｂの皮膚も移動（伸縮）するため、伸縮性シート素材３１，１３１は、手の甲Ｂの皮膚との摩擦係合力により、手の甲Ｂの皮膚の移動に若干追随変形すると考えられるが、伸縮性シート素材３１，１３１は常に上記三点支持によって弾性的に展張状態にあるため、当該追随変形も、最終的に伸縮性シート素材３１，１３１の略二等辺三角形状の範囲内に吸収される。したがって、手の甲Ｂの収縮によっても、伸縮性シート素材３１，１３１は、一部に緩み、弛み、歪み等を生じることはなく、その本来の略二等辺三角形状を維持する。
【００３４】
更に、このとき、中指３Ｆは、五指１Ｆ〜５Ｆの中心にあり手の甲Ｂの先端中心にあるため、手Ｈを握る際には手の甲Ｂの左右中心線（手首Ｗの中心と中指３Ｆの根元とを結ぶ線）の延長線上で内側（掌側）へと屈曲し、手Ｈを開く際には手の甲Ｂの左右中心線の延長線上で外側（手の甲Ｂ側）へと伸張する。よって、伸縮性シート素材３１，１３１は、中指３Ｆの根元に位置する頂点部を移動起点として、その高さ方向が手の甲Ｂの左右中心線とほぼ一致した状態で伸張することになる。この点でも、伸縮性シート素材３１，１３１は、手Ｈの開閉動作に伴ってその本来の略二等辺三角形に弛みや歪み等を生じることなく、円滑に伸縮してその略二等辺三角形状を維持する。
【００３５】
これに対して、手の甲部分の装飾部を本発明の手甲装飾部３０，１３０のような構成としない場合、以下のような不具合がある。まず、装飾部を伸縮性シート素材ではない素材とする場合、例えば、金属シート、ワイヤ、チェーン、皮、非伸縮の織編物等の非伸縮性素材から形成する場合、装飾部は手の開閉動作に追従して伸縮しない。このとき、装飾部の寸法を手を開いたときの手の甲の寸法に合わせると、手を握ったときに非伸縮の装飾部が突っ張った感じとなり、手を握る動作が妨げられる。一方、装飾部の寸法を手を握ったときの手の甲の寸法に合わせると、手を開いたときに非伸縮の装飾部が弛んだり緩んだりして皺等を生じた状態となり、装飾性を損なう。
【００３６】
また、装飾部を伸縮性素材により形成した場合でも、その形状を円形、楕円形、矩形等の三角形状以外の任意の形状とした場合、装飾部の一部に必然的に弛みや緩み、或いは、手の甲からの浮き上がり等、装飾性を損なう事態が生じる。即ち、この場合、装飾部は、特定の指や手首の特定位置との間で支持され、着用者が手を開閉すると、その特定の指や手首の特定位置が起点となって装飾部に引張力を加えたり除いたりする。この手の開閉動作に伴い、装飾部は、これらの支持点を起点として伸縮するため、それらの起点を結んだ線により囲まれる部分は支持点からの張力の影響を受けて展張状態を維持する可能性があるが、当該部分より外側の部分は支持点からの張力の範囲外となって必然的に非展張状態となり、弛みや緩みや手の甲からの浮き上がりが必ず生じる。例えば、いずれかの一本の指と手首の一箇所との間で装飾部を支持する場合、装飾部は、当該一本の指と手首の一箇所との間を結ぶ一本の線上でのみ伸張し、それ以外のほとんどの部分（実質的に全ての部分）が弛んだ状態となる。また、いずれかの一本の指と手首の二箇所との間で装飾部を支持する場合でも、装飾部は、当該一本の指と手首の二箇所との間を結ぶ３本の線により囲まれる三角形部分で展張状態となると考えられるが、同三角形部分の外側の部分が弛んだ状態となる。
【００３７】
更に、装飾部を三角形状とする場合でも、頂点を中指根元に配置し底辺両端を手首両端に配置する二等辺三角形状以外の三角形状（不等辺三角形状）とする場合、例えば、中指以外の指の根元に頂点を配置する三角形状（不等辺三角形状）とする場合、その指の曲げ伸ばしの際に、頂点から底辺へと延びる垂線により区画される左右両側の面積が異なるため、装飾部の左右で展張状態が大きく異なる。即ち、図８に示すように、上記実施の形態に係る手甲装飾部３０，１３０の伸縮性シート素材３１，１３１の場合、頂点から底辺へと延びる垂線により区画される左右両側の面積が同一となり、かつ、中指３Ｆを曲げる際に伸縮性シート素材３１，１３１の頂点に加わる外力も図８中に矢印で示す方向となって伸縮性シート素材３１，１３１の高さ方向と同一となるため、伸縮性シート素材３１，１３１の左右で展張状態が同等となり、伸縮性シート素材３１，１３１の展張状態は全体として均等となる。一方、装飾部を、人差指２Ｆ、薬指４Ｆまたは小指５Ｆに頂点を配置した不等辺三角形状とする場合、頂点から底辺へと延びる垂線により区画される左右両側の面積が大きく異なり、かつ、その指２Ｆ，４Ｆ，５Ｆを曲げる際に装飾部の頂点に加わる外力が図８中に矢印で示す方向となるため、装飾部の左右で展張状態が大きく異なり、装飾部の展張状態が全体として不均等となり、緩みや弛みや皺等を生じる。
【００３８】
一方、図７に示すように、着用者が手の指１Ｆ〜５Ｆを完全に閉じた状態と完全に開いた状態との間で指１Ｆ〜５Ｆを開閉（外転及び内転）する場合、手Ｈの関節の構造上、中指３Ｆの基節乃至第３関節（医学用語は「中手指節関節」）は、図７中の黒塗丸印に示すように、指１Ｆ〜５Ｆの開閉に伴い移動することはなく停止したままであるが、中指３Ｆから離れた指１Ｆ，２Ｆ，４Ｆ，５Ｆほど、図７中の黒塗三角印から白抜三角印に示すように、指１Ｆ，２Ｆ，４Ｆ，５Ｆを開くにつれてその位置を外方に移動する。即ち、中指３Ｆ以外の指１Ｆ，２Ｆ，４Ｆ，５Ｆは、指１Ｆ，２Ｆ，４Ｆ，５Ｆの内転または外転に伴い、その基節の位置が内側（中指３Ｆに向かう方向）または外側（中指３Ｆから離間する方向）に移動する。したがって、本発明のように、手甲装飾部３０，１３０の伸縮性シート素材３１，１３１の頂点が中指３Ｆの根元に位置する場合、指１Ｆ〜５Ｆの開閉動作によっても手甲装飾部３０，１３０の伸縮性シート素材３１，１３１の頂点部は移動することがない。その結果、指１Ｆ〜５Ｆの開閉動作によっても、伸縮性シート素材３１，１３１は、その本来の略二等辺三角形状を完全に維持し、緩み、弛み、歪み等を生じて本来の略二等辺三角形状を歪曲することはない。
【００３９】
また、上記各実施の形態に係る手甲装飾部３０，１３０は、頂点部並びに底辺両端部及び底辺中央部を、頂点用係合部３２，１３１ａ並びにコーナー用係合部３３及び中間用係合部３４による掛止関係により、リング部１０の頂点用掛止部１２並びにリスト部２０のコーナー用掛止部２２及び中間用掛止部２３にそれぞれ取付ける。このとき、手甲装飾部３０，１３０の伸縮性シート素材３１，１３１が着用者の手の甲Ｂ側で常に弾性的に展張状態となっているため、伸縮性シート素材３１，１３１がリング部１０とリスト部２０との間で若干の引張力をもって装着されることになる。その結果、手甲装飾部３０ｍ１３０の装着時に、頂点用係合部３２，１３１ａ並びにコーナー用係合部３３及び中間用係合部３４とリング部１０の頂点用掛止部１２並びにリスト部２０のコーナー用掛止部２２及び中間用掛止部２３との間での掛止関係が外れて伸縮性シート素材３１，１３１が不意に脱落したりすることがない。また、この場合、伸縮性シート素材３１，１３１が全体として伸縮性を有するため、まず、例えばコーナー用係合部３３及び中間用係合部３４をリスト部２０のコーナー用掛止部２２及び中間用掛止部２３に引っ掛けた後、伸縮性シート素材３１，１３１をその弾性に抗して引張って、頂点用係合部３２，１３１ａをリング部１０の頂点用掛止部１２に引っ掛けて手を離すだけで、伸縮性シート素材３１，１３１をリング部１０とリスト部２０との間に簡単に装着することができ、かつ、装着した伸縮性シート素材３１，１３１をその弾性に抗して引張るだけで、頂点用係合部３２，１３１ａ並びにコーナー用係合部３３及び中間用係合部３４をリング部１０の頂点用掛止部１２並びにリスト部２０のコーナー用掛止部２２及び中間用掛止部２３から取外すことができるため、その装着及び取外しが非常に容易となる。
【００４０】
上記のように、上記各実施の形態に係る手甲用装飾品は、着用状態では、着用者が手Ｈを完全に開いたときでも、手甲装飾部３０，１３０の伸縮性シート素材３１，１３１が頂点部と底辺両端部との三点間で弾性的に均等に展張した状態となり、伸縮性シート素材３１，１３１に弛みや皺が生じたり、全体の本来の二等辺三角形状が歪んだりすることがない。一方、着用者が手Ｈを一部握ったり、完全に握り締めたりしたときは、主に中指３Ｆの関節の屈曲に伴う形状及び寸法変化（伸張）に追従して、伸縮性シート素材３１，１３１の頂点部が高さ方向に移動し、全体が伸張する。また、このとき、伸縮性シート素材３１，１３１の底辺の両端部は、この動作に伴っても位置が変わらない撓骨先端部と尺骨先端部の近傍に位置する。したがって、伸縮性シート素材３１，１３１は手Ｈの開閉動作にしたがって円滑に均等に伸張する。また、頂点部の移動量に応じて伸縮性シート素材３１，１３１の高さが増大するが、全体としては、伸縮性シート素材３１，１３１は本来の二等辺三角形を維持する。よって、手Ｈの開閉動作時にも、二等辺三角形状の伸縮性シート素材３１，１３１が底辺両端から頂点にかけて全体的に均等に伸縮し、伸縮性シート素材３１，１３１に弛みや皺が生じることがなく、伸縮性シート素材３１，１３１を完全な展張状態として着用者の手甲を覆うことができる。その結果、上記各実施の形態に係る手甲用装飾品は、装飾品としての意匠性を損なうことがなく、装飾部分としての手甲装飾部３０，１３０（特に、伸縮性シート素材３１，１３１）が本来意図する高い装飾性を十分に発揮することができる。加えて、着用状態で着用者が手Ｈを開いたり握ったりしても、手甲装飾部３０，１３０の伸縮性シート素材３１，１３１が手の甲Ｂの形状変化及び任意の方向への寸法変化に対して完全に形状追従及び寸法追従する。その結果、着用者にとって装着による違和感がない。更に、リング部１０、リスト部２０及び手甲装飾部３０，１３０のいずれか１以上を交換することにより、さまざまなデザインの装飾品として嗜好性及び意匠性を向上することができる。この場合も、手甲装飾部３０，１３０の着脱交換が非常に容易となる。
【００４１】
加えて、上記各実施の形態に係る手甲用装飾品は、手甲装飾部３０，１３０が、リング部１０とリスト部２０との間に装着した状態で着用者が手を完全に開いたときでも、伸縮性シート素材３１，１３１が弾性的に若干の展張状態となるよう、伸縮性シート素材３１，１３１の高さを着用者が手を完全に開いたときの中指３Ｆの根元から手首Ｗまでの距離より若干小さい高さ（連結リング４０を使用する場合はその直径分を更に除いた高さ）に設定すると共に、着用者が手を握ったときの手首Ｗから中指３Ｆの根元までの距離の増加に応じて伸縮性シート素材３１，１３１が弾性的に追従変形して展張状態を維持するようその伸縮性を設定している。したがって、上記各実施の形態に係る手甲用装飾品は、伸縮性シート素材３１，１３１が常に展張状態となり、着用者の手の状態にかかわらず、装飾性を良好に維持することができる。
【００４２】
また、上記実施の形態１に係る手甲用装飾品は、手甲装飾部３０の装着時に、伸縮性シート素材３１の伸縮性（弾性）により、伸縮性シート素材３１の底辺両端の連結リング４０が、その直径方向を伸縮性シート素材３０の斜辺と略同一方向に延ばした状態でコーナー用係合部３３とコーナー用係合部２３とを連結するよう、伸縮性シート素材３１の底辺の長さが手首Ｗの幅と同一か若干小さい長さに設定される。したがって、伸縮性シート素材３１，１３１の斜辺方向が、伸長時に外力の加わる方向と一致するため、伸縮性シート素材３１，１３１が二等辺三角形を均等に拡大するよう伸張する。更に、手首近傍に位置する複数（４個の）均等配置された連結リング４０により、手甲用装飾品全体に独特の意匠的効果を付与することができると共に、リング部１０、リスト部２０及び手甲装飾部３０に加えて連結リング４０をも交換することで、一層多種多彩な装飾の変化を楽しむことができる。更にまた、連結リング４０は円環状であるため、手首Ｗの幅方向両端では手首Ｗの撓骨先端部及び尺骨先端部に沿って傾斜して、自然に手首Ｗの側面形状に沿う形となり、また、手首Ｗの中央部では手首Ｗの上面（甲Ｂ側の面）の形状に自然に沿う形となる。
【００４３】
実施の形態４
図９は本発明の実施の形態４に係る手甲用装飾品の着用状態（手を開いた状態）を示す平面図である。
図９に示すように、実施の形態４に係る手甲用装飾品は、上記実施の形態２と同様、リング部１０、リスト部２０及び手甲装飾部１３０を備え、リング部１０とリスト部２０との間に手甲装飾部１３０を装着するようになっている。更に、実施の形態４に係る手甲用装飾品は、副リング部２１０と、副手甲装飾部２３０とを備える。副リング部２１０は、着用者の中指３Ｆ以外の指として、小指５Ｆの根元に着脱自在に装着される。副リング部２１０は、小指５Ｆに装着すべく小径とした以外は、リング部１０とほぼ同様の構成であり、基部１１と同様の構成で若干小径の基部２１１と、頂点用掛止部１２と同様の構成の頂点用掛止部２１２とを有する。副手甲装飾部２３０は、リング部２１０及びリスト部２０と別体で形成され、着用者の小指５Ｆの根元に頂点部を配置すると共に手首Ｗに底辺（頂点の対辺）を配置した三角形状（略直角三角形状）の伸縮性シート素材２３１からなる。また、副手甲装飾部２３０は、頂点部に副リング部２１０へ着脱自在な副リング側取付部２３１ａを一体的に固定している。副リング側取付部２３１ａは実施の形態２のリング側取付部１３１ａと同様の構成である。更に、副手甲装飾部２３０は、底辺の両端部にリスト部２０のコーナー用掛止部２２へ着脱自在なリスト側取付部としてのコーナー用係合部２３３を一体的に固定している。加えて、副手甲装飾部２３０は、底辺の中央部にリスト部２０の中間用掛止部２３へ着脱自在なリスト側取付部としての中間用係合部２３４を一体的に固定している。
【００４４】
このように構成した実施の形態４に係る手甲用装飾品は、まず、上記実施の形態２と同様にして、リング部１０とリスト部２０との間に手甲装飾部１３０を装着すると共に、小指５Ｆに副リング部２１０を嵌め、手甲装飾部１３０の上側或いは下側に、副手甲装飾部２３０を装着する。即ち、副手甲装飾部２３０のリング側取付部２３１ａを副リング部２１０の頂点用掛止部２１２に掛止し、副手甲装飾部２３０のコーナー用係合部２３３及び中間用係合部２３４を、それぞれ、リスト部２０のコーナー用掛止部２２及び中間用掛止部２３に掛止する。これにより、リング部１０とリスト部２０との間での手甲装飾部１３０による装飾性に加え、副リング部２１０とリスト部２０との間での副手甲装飾部２３０による装飾性を発揮することができる。
【００４５】
ところで、本発明に係る手甲用装飾品は、上記課題を達成できる範囲内で、リング部、リスト部及び手甲装飾部を上記実施の形態と異なる構成とすることができる。例えば、手甲装飾部の頂点及び底辺両端のリング部及びリスト部への取付は、それらを着脱自在とする限りにおいて各種の機構乃至構成とすることができる。
【図面の簡単な説明】
【００４６】
【図１】図１は本発明の実施の形態１に係る手甲用装飾品の着用状態（手を開いた状態）を示す平面図である。
【図２】図２は本発明の実施の形態１に係る手甲用装飾品を示す分解斜視図である。
【図３】図３は本発明の実施の形態２に係る手甲用装飾品の着用状態（手を開いた状態）を示す平面図である。
【図４】図４は本発明の実施の形態３に係る手甲用装飾品を示す分解斜視図である。
【図５】図5は本発明の実施の形態１に係る手甲用装飾品及び実施の形態２に係る手甲用装飾品の連結部分を拡大して示す斜視図であり、（ａ）は実施の形態１または実施の形態３のリング側連結部、（ｂ）は実施の形態２のリング側連結部、（ｃ）は実施の形態１のリスト側連結部、（ｄ）は実施の形態２または実施の形態３のリスト側連結部をそれぞれ示す。
【図６】図６は本発明の手甲用装飾品の手甲装飾部をリング部及びリスト部に装着する方法を説明するための斜視図である。
【図７】図７は本発明に係る手甲用装飾品の手甲装飾部と着用者の指の開閉動作（外転及び内転）との関係を示す説明図である。
【図８】図８は本発明に係る手甲用装飾品の手甲装飾部と着用者の手の開閉動作との関係を示す説明図である。
【図９】図９は本発明の実施の形態４に係る手甲用装飾品の着用状態（手を開いた状態）を示す平面図である。
【符号の説明】
【００４７】
１０：リング部、頂点用掛止部１２
２０：リスト部、２２：コーナー用掛止部、２３：中間用掛止部
３０：手甲装飾部、３１：伸縮性シート素材
３２：頂点用係合部（リング側取付部）、３３：コーナー用係合部（リスト側取付部）
３４：中間用係合部（リスト側取付部）、４０：連結リング
１３０：手甲装飾部、１３１：伸縮性シート素材
１３１ａ：頂点用係合部（リング側取付部）
２１０：副リング部、２３０：副手甲装飾部、２３１：伸縮性シート素材